(57)【要約】【課題】専門知識を有さないものであっても、ユーザ発話に応答しながら、予め用意した会話の流れに沿った会話内容を実現する会話シナリオに基づいた言語モデルを生成することを可能にして、より的確な音声認識にもとづいた会話内容を実現可能にすることを目的とする。【解決手段】この会話シナリオ編集装置は、ユーザ発話を音声認識することにより入力文を生成し、この入力文に応じた回答文を会話サーバに要求する会話装置と、会話装置から回答文を要求された場合、会話シナリオに基づいて回答文を決定し、この回答文を会話装置に送信し、回答文をユーザに出力させる会話サーバとを有する自動会話システムのために、会話シナリオを生成する会話シナリオ編集装置であって、会話シナリオに基づいて、会話装置が音声認識を行う場合に使用する言語モデルを生成する言語モデル生成部とを有する。【選択図】図１
2010048980.tif 000002
【特許請求の範囲】
【請求項１】
ユーザ発話を音声認識することにより入力文を生成し、この入力文に応じた回答文を会話サーバに要求する会話装置と、前記会話装置から回答文を要求された場合、会話シナリオに基づいて回答文を決定し、この回答文を前記会話装置に送信し、回答文をユーザに出力させる会話サーバとを有する自動会話システムのために、前記会話シナリオを用いる会話シナリオ編集装置であって、
前記会話シナリオに基づいて、前記会話装置が音声認識を行う場合に使用する言語モデルを生成する言語モデル生成手段
を有することを特徴とする会話シナリオ編集装置。
【請求項２】
前記会話シナリオは、対象と射とからなり、
射である入力文と、その射に対応する対象である回答文とを有する前記会話シナリオを生成する編集手段をさらに有することを特徴とする請求項１に記載の会話シナリオ編集装置。
【請求項３】
前記会話シナリオから射に対応する対象を検索するための動的知識を生成する動的知識生成手段をさらに有することを特徴とする請求項２に記載の会話シナリオ編集装置。
【請求項４】
ユーザ発話を音声認識することにより入力文を生成し、この入力文に応じた回答文を会話サーバに要求する会話装置と、
前記会話装置から回答文を要求された場合、会話シナリオに基づいて回答文を決定し、この回答文を前記会話装置に送信し、回答文をユーザに出力させる会話サーバと、
前記会話シナリオに基づいて、前記会話装置が音声認識を行う場合に使用する言語モデルを生成する言語モデル生成手段を有する会話シナリオ編集装置と
を有することを特徴とする自動会話システム。
【請求項５】
前記会話シナリオは、対象と射とからなり、
射である入力文と、その射に対応する対象である回答文とを有する前記会話シナリオを生成する編集手段をさらに有することを特徴とする請求項４に記載の自動会話システム。
【請求項６】
前記会話シナリオから射に対応する対象を検索するための動的知識を生成する動的知識生成手段をさらに有することを特徴とする請求項５に記載の自動会話システム。
【請求項７】
前記会話サーバは、前記会話装置に行わせる動作を記述した動作制御情報を前記会話装置に送信し、前記会話装置は前記動作制御情報に基づいて、回答文の出力とともに動作を実行する、ことを特徴とする請求項４から６に記載の自動会話システム。
【請求項８】
前記会話装置は、前記動作制御情報によって動作を制御される端末装置であることを特徴とする、請求項７に記載の自動会話システム。
【発明の詳細な説明】
【技術分野】
【０００１】
本発明は、自動会話システム、並びに会話シナリオ編集装置に関し、より詳しくはユーザの発話に応答する回答を自動的に出力して、ユーザとの会話を成立させることが可能なシステムである自動会話システム、並びにこの自動会話システムに用いられる会話シナリオを生成及び編集する会話シナリオ編集装置に関する。
【背景技術】
【０００２】
従来、ユーザの発話を受け取ると、この発話内容に応じた回答を出力する自動会話装置が提案されるようになってきた（例えば、特許文献１）。従来の自動会話装置では、ユーザの発話とそれに対応する回答を一対として記憶したデータベースを用い、このデータベースを検索することによって、ユーザの発話に対応する回答を出力させる方式が一般的であった。
【特許文献１】特開２００２−３６６１９０号公開公報
【発明の開示】
【発明が解決しようとする課題】
【０００３】
しかし、ユーザの発話に対応する回答を一対一の関係で出力する従来の方式では、ある話題に関して自然な会話をユーザと自動会話装置との間で成立させたり、予め用意したストーリー性のある内容（例えば、制度の仕組みの説明、救急治療の内容など）を少しずつ、ユーザに語りかけたりすることを、自動会話装置により実現することは難しい。
【０００４】
このような、自然な流れの会話を成立するための技術として、ユーザ発話に応答しながら、予め用意した会話の流れに沿った会話内容を実現するシナリオを用いることが提案されているが、このシナリオから言語モデルを作成するには、専門知識を有するＫＢ（ナレッジ・ベース、知識ベース）技術者によらなければ、言語モデルを作成することはできなかった。しかも、多くの場合、ＫＢ（知識ベース）と会話エンジンが融合されているために、ＫＢ作成者であっても「シナリオ」の全体を把握することができない。
【０００５】
本発明の目的は、専門知識を有さないものであっても、ユーザ発話に応答しながら、予め用意した会話の流れに沿った会話内容を実現するシナリオに基づいた言語モデルを生成することを可能にして、より的確な音声認識にもとづいた会話内容を実現可能にすることを目的とする。
【課題を解決するための手段】
【０００６】
上記課題を解決するための手段として、本発明は以下の特徴を備えている。  
本発明は、会話シナリオ編集装置として提案される。この会話シナリオ編集装置は、ユーザ発話を音声認識することにより入力文を生成し、この入力文に応じた回答文を会話サーバに要求する会話装置と、会話装置から回答文を要求された場合、会話シナリオに基づいて回答文を決定し、この回答文を会話装置に送信し、回答文をユーザに出力させる会話サーバとを有する自動会話システムのために、会話シナリオを生成する会話シナリオ編集装置であって、前記会話シナリオに基づいて、会話装置が音声認識を行う場合に使用する言語モデルを生成する言語モデル生成手段（例えば、言語モデル生成部）とを有することを特徴としている。
【０００７】
この会話シナリオ編集装置によれば、ユーザ発話に応答しながら、予め用意した会話の流れに沿った会話内容を実現する会話シナリオに基づいた言語モデルを生成して、より的確な音声認識にもとづいた会話内容を実現可能とすることができる。
【０００８】
前記会話シナリオは、対象と射からなり、射である入力文と、その射に対応する対象である回答文と、を有する前記会話シナリオを生成する編集手段をさらに有していてもよい。かかる会話シナリオ編集装置によれば、従来の自動会話装置においては、ＫＢに基づいて会話を実行する会話エンジンに特有の知識が理解できるＫＢ（知識ベース）技術者のみしか作成できなかったが、会話装置を動作させる知識を一般の人（エンドユーザなど）にも自由に「対象と射の枠組み」からなる会話シナリオが構築できるようにすることで、より的確な音声認識にもとづいた会話内容を実現可能とすることができる。しかも、これにより、ＫＢ作成者は「会話シナリオ」の全体が把握できるようになる。
【０００９】
また、本発明に基づく、会話シナリオ編集装置は以下の利点を有する。
・会話シナリオが「対象（回答文）と射（入力文）」を連結しながら構築できるので、シナリオの表現が明快である。
・対象の引用機能を開発しているので、対象に関して引用元の情報（ある対象を引用している対象に関わる情報）が利用できる。
・対象の遷移先と引用元により、対象の状態遷移関係が一覧できる。
・対象と射を並べた「回答列」で「対象と射」の基本性質を表現することができる。
・「回答列」は正に「台本」に類するものであり、一般の台本作成という観点では「回答列は極めて明快な情報」である。
・会話シナリオ編集装置・会話サーバ・会話装置の全体により、「台本通りに会話装置を動作させる」ことが実現できる。
なお、会話シナリオ編集装置は「対象と射とからなる会話シナリオ」が扱えるような仕組みであれば、上記の内容に限定されることはない。
【００１０】
上記会話シナリオ編集装置は、会話シナリオから射に対応する対象を検索するための動的知識を生成する動的知識生成手段をさらに有していてもよい。かかる会話シナリオ編集装置によれば、高速で、入力文に相当する射及びこの射に対応する対象を検索し、対象である回答文を出力させることが可能となる。
また、上記会話シナリオ編集装置において、会話シナリオ編集装置は、予め定めた内容のユーザ発話以外の全てのユーザ発話を一つの射として記述することが可能であるようにしてもよい。かかる会話シナリオ編集装置によれば、無限のユーザ発話を被覆可能な回答文を定義することが可能となる。
【００１１】
本発明の第２の態様は、自動会話システムとして提案される。この自動会話システムは、ユーザ発話を音声認識することにより入力文を生成し、この入力文に応じた回答文を会話サーバに要求する会話装置と、前記会話装置から回答文を要求された場合、会話シナリオに基づいて回答文を決定し、この回答文を前記会話装置に送信し、回答文をユーザに出力させる会話サーバと、前記会話シナリオに基づいて、前記会話装置が音声認識を行う場合に使用する言語モデルを生成する言語モデル生成手段を有する会話シナリオ編集装置と
を有することを特徴としている。
かかる自動会話システムによれば、ユーザ発話（入力文）に応答しながら、予め用意した会話の流れに沿った会話内容を実現する会話シナリオに基づいた言語モデルを生成して、より的確な音声認識にもとづいた会話内容を実現可能とすることができる。
また、上記自動会話システムにおいて、前記会話シナリオは、対象と射とからなり、射である入力文と、その射に対応する対象である回答文とを有する前記会話シナリオを生成する編集手段をさらに有するようにしてもよい。
かかる自動会話システムによれば、従来の自動会話装置においては、ＫＢに基づいて会話を実行する会話エンジンに特有の知識が理解できるＫＢ（知識ベース）技術者のみしか作成できなかったが、会話装置を動作させる知識を一般の人（エンドユーザなど）にも自由に「対象と射の枠組み」からなる会話シナリオが構築できるようにすることで、より的確な音声認識にもとづいた会話内容を実現可能とすることができる。しかも、これにより、ＫＢ作成者は「会話シナリオ」の全体が把握できるようになる。
また、上記の自動会話システムにおいて、前記会話シナリオから射に対応する対象を検索するための動的知識を生成する動的知識生成手段をさらに有するようにしてもよい。
また、上記会話シナリオ編集装置において、会話シナリオ編集装置は、予め定めた内容のユーザ発話以外の全てのユーザ発話を一つの射として記述することが可能であるようにしてもよい。かかる会話シナリオ編集装置によれば、無限のユーザ発話を被覆可能な回答文を定義することが可能となる。
【００１２】
また、上記自動会話システムにおいて、会話サーバは、会話装置に行わせる動作を記述した動作制御情報を会話装置に送信し、会話装置は動作制御情報に基づいて、回答文の出力とともに動作を実行するようにしてもよい。かかる自動会話システムによれば、回答文の内容だけでなく会話装置が実行できるどのような動作をも、会話シナリオ作成者が会話シナリオを通じて制御することが可能となる。
【００１３】
また、上記自動会話システムにおいて、会話装置は、動作制御情報によって動作を制御される端末装置（例えば、ロボット等）であるようにしてもよい。かかる発明によれば、会話シナリオ作成者が会話シナリオを通じて端末装置の動作制御をおこない、会話シナリオを動作制御プログラムとして活用することも可能となる。
【発明の効果】
【００１４】
本発明によれば、ユーザ発話に応答しながら、予め用意した会話の流れに沿った会話内容を実現する会話シナリオに基づいた言語モデルを生成して、より的確な音声認識にもとづいた会話内容を実現可能とすることができる。
【発明を実施するための最良の形態】
【００１５】
以下、本発明の実施の形態を、図面を参照しながら説明する。  
本実施の形態は、予め用意された会話シナリオに基づいて、ユーザの発話などに応答して回答を出力する自動会話システム、及び会話シナリオを生成、編集する会話シナリオ編集装置として提案される。
【００１６】
［１．自動会話システム、会話シナリオ編集装置の構成例］
以下、自動会話システム、会話シナリオ編集装置の構成例について説明する。図１は、自動会話システム１の構成例を示すブロック図である。自動会話システム１は、会話装置１０と、会話装置１０に接続された会話サーバ２０と、会話サーバ２０が使用する会話シナリオを生成、編集する会話シナリオ編集装置３０で構成される。
【００１７】
会話装置１０は、ユーザが発話を入力すると、その発話内容を会話サーバ２０に送信する。会話サーバ２０は、発話内容を受け取ると、会話シナリオに基づいて発話内容に対する返事である回答とこの回答に対応した動作であって会話装置１０に実行させる動作を記述した情報である動作制御情報を決定し、回答及び動作制御情報を会話装置１０に出力する。
【００１８】
会話シナリオ編集装置３０は、会話シナリオ４０を生成、編集し、生成済み若しくは編集済みの会話シナリオを出力する。出力された会話シナリオ４０は会話サーバ２０に記憶される。また、会話シナリオ編集装置３０は生成した会話シナリオ４０に基づいて言語モデル５０を生成する。言語モデル５０は会話装置１０が音声認識をするために使用される。
【００１９】
以下に、上記装置のそれぞれについて詳述する。
［１．１．会話装置］
会話装置１０は、ユーザの発話（ユーザ発話）を入力として取得し、この入力内容（以下、入力文と呼ぶ）を会話サーバ２０に送信し、会話サーバ２０から返信されてくる回答及び動作制御情報を受信し、受信内容に基づいて、回答の出力及び動作制御情報に応じた動作を実行する機能を有する。
【００２０】
会話装置１０は、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備している情報処理装置、或いはそのような情報処理装置を含む器具、おもちゃなどであって、例えばコンピュータ、携帯電話機、いわゆるインターネット家電、又はロボットなどの装置である。会話装置１０の前記ＲＯＭ、若しくはハードディスク装置などにプログラムが記憶されており、このプログラムを主メモリ上に載せ、ＣＰＵがこれを実行することにより会話装置１０が実現される。また、上記プログラムは必ずしも情報処理装置内の記憶装置に記憶されていなくともよく、外部の装置（例えば、ＡＳＰ（アプリケーション・サービス・プロバイダ）のサーバなど）から提供され、これを主メモリに乗せる構成であってもよい。
【００２１】
図２Ａは、会話装置１０の一構成例を示すブロック図である。会話装置１０は、入力部１１と、入力部１１に接続された音声認識部１５と、音声認識部１５に接続された会話処理部１２と、会話処理部１２に接続された動作制御部１３と、会話処理部１２及び動作制御部１３に接続された出力部１４とを有している。また、会話処理部１２は会話サーバ２０と通信可能である。また、音声認識部１５は、会話シナリオ編集装置３０が生成した言語モデル５０を受け取り、この言語モデルに基づいて音声信号を入力文に変換する。
【００２２】
入力部１１は、ユーザの発話内容（音声信号）を受け取り、これを電気信号など会話処理部１２が処理可能な信号に変換して渡す機能を有する。入力部１１は、例えば、マイクである。
【００２３】
音声認識部１５は、入力部１１から受け取った信号に基づいて、ユーザの発話内容を推測し、推測の結果得られたユーザの発話内容を入力文として出力する機能を有する。図２Ｂに音声認識部１５の構成例を示す機能ブロック図を掲げる。音声認識部１０は、音声信号を受け取る前処理部１１０と、前処理部１１０に接続された特徴抽出部１２０と、特徴抽出部１２０に接続された識別部１３０とを有している。
【００２４】
識別部１３０は、識別演算部１４０と、識別演算部１４０に接続された音響モデル記憶部１５０，及び言語モデル記憶部１６０とを有している。識別演算部１４０は特徴抽出部１２０に接続されているとともに、会話制御部２０に接続されている。また、言語モデル記憶部１６０の記憶内容は、後述する言語モデル生成部３４からの出力によって書き換えされる。
前処理部１１０は、音声信号であるアナログ信号をデジタル信号に変換し、またノイズを除去して特徴抽出を容易にする雑音除去処理を行う。
【００２５】
特徴抽出部１２０は、前処理部１１０から出力されたアナログ信号を受け取り、このアナログ信号から、パターンがどのクラスに属するものなのかを判定する情報を取得する処理を行う。ここで、「パターン」とは実世界の音、画像などの情報をいい、「クラス」とはパターンが当てはまる予め定められた概念である。例えば、「あ」の発音により生じる音声信号はパターンであり、その音声信号は記号「あ」というクラスとなる。
【００２６】
特徴抽出部１２０は、音声信号であるデジタル信号から、その音声信号の特徴を示す特徴量を算出する。特徴量をどのように算出するかはいろいろな手法が提案されているが、例えばデジタル信号をスペクトルに変換しフォルマントを抽出し、これを特徴ベクトルとして算出する方法がある。或いは特徴抽出部１２０は、デジタル信号をＭＦＣＣ（Mel Frequency Cepstrum Coefficient）という特徴量を取得する方法によって、特徴ベクトルとして算出するようにしてもよく、どのような方法が採用されてもかまわない。
【００２７】
識別部１３０は、特徴抽出部１２０によって出力された特徴ベクトルがどのクラスに属するかを判別する機能を有する。識別部１３０は、各クラスを代表するプロトタイプベクトルを予め用意しておいて、入力された特徴ベクトルがどのプロトタイプベクトルに近似するかを算出し、特徴ベクトルに対応するクラスを決定する。
【００２８】
識別部１３０の構成をより詳しく説明すると、識別部１３０は、識別演算部１４０と、識別演算部１４０に接続された音響モデル記憶部１５０及び言語モデル記憶部１６０とを有している。
【００２９】
音響モデル記憶部１５０は音響モデルを記憶する機能を有する。音響モデルは、単語列ｗ１、ｗ２，…、ｗｎを発声したときに特徴ベクトル系列X1，X2，…、ｘｎがどのくらいの確率で観測されるかということを表した条件付き確率を求める確率モデルである。
【００３０】
言語モデル記憶部１６０は言語モデルを記憶する機能を有する。言語モデルは、単語列ｗ１、ｗ２，…、ｗｎの発生確率Ｐ（ｗ１、ｗ２，…、ｗｎ）を求める確率モデルである。
【００３１】
この確率モデルは、コーパスと呼ばれる文例集（例えば、新聞記事を集めた電子データ、この実施の形態では会話シナリオを含む）に現れる単語ｗｋ−１の出現回数と、単語列ｗｋ−１、ｗｋの出現回数をカウントし、後者を前者で割ることにより、単語の連接確率を算出し、単語列の発生確率を求める。
【００３２】
識別演算部１４０は、音声モデルを用いて単語列ｗ１、ｗ２，…、ｗｎを発声したときに特徴ベクトル系列X1，X2，…、ｘｎが観測される確率Ｐ１と、単語列ｗ１、ｗ２，…、ｗｎの発生確率Ｐ２との積を求め、この積が最大となる単語列ｗ１、ｗ２，…、ｗｎを探索する機能を有する。
識別演算部１４０は、探索の結果得られた単語列を入力文として出力し、会話制御部処理部１２に渡す。
以上で識別部１３０、音声認識部１５の説明を終了する。  
【００３３】
図２Ａに戻り、会話装置１０の構成例の説明をつつける。
会話処理部１２は、音声認識部１５から受け取った入力文を会話サーバ２０に送り、入力文に応じた回答文及びその回答文に対応する動作制御情報を送信するよう、会話サーバ２０に要求する。また、会話処理部１２は、会話サーバ２０から回答文及びその回答文に対応する動作制御情報を受信すると、回答文を出力部１４に渡して出力させるとともに、動作制御情報を動作制御部１３に渡す。
【００３４】
動作制御部１３は、会話処理部１２から渡された動作制御情報に基づいて、指定された動作を実行する。指定された動作が出力部１４による表示の実行（例えば、指定された動作の再生）であれば、これを出力部１４に実行させる。また、指定された動作が、会話サーバ２０から取得した回答文とは別の回答文の出力（例えば、会話サーバ２０から取得した回答文が「何について話しますか？」、別の回答文が「何か言ってくださいね！」）である場合には、そのような回答文を出力部１４に出力させる。
【００３５】
出力部１４は、回答文をユーザが了知可能な態様で出力する機能を有する。回答文をどのような態様で出力するかについては、本発明において制限はない。出力部１４は、例えば、回答文を文字情報としてユーザに提供する場合には、液晶ディスプレイ装置などであり、また回答文を音声情報としてユーザに提供する場合には、人工音声生成装置及びスピーカである。
【００３６】
［１．２．会話サーバ］
会話サーバ２０は、会話シナリオに基づいて発話内容に対する返事である回答とこの回答に対応した動作であって会話装置１０に実行させる動作を記述した情報である動作制御情報を決定し、回答及び動作制御情報を会話装置１０に出力する機能を有する装置である。
【００３７】
会話サーバ２０は、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備している情報処理装置などであって、例えばコンピュータ、ワークステーション、サーバ装置などである。会話サーバ２０の前記ＲＯＭ、若しくはハードディスク装置などにプログラムが記憶されており、このプログラムを主メモリ上に載せ、ＣＰＵがこれを実行することにより会話サーバが実現される。また、上記プログラムは必ずしも情報処理装置内の記憶装置に記憶されていなくともよく、外部の装置（例えば、ＡＳＰ（アプリケーション・サービス・プロバイダのサーバなど））から提供され、これを主メモリに乗せる構成であってもよい。
【００３８】
会話装置１０と会話サーバ２０とは、有線又は無線により接続される構成でも良く、また、ＬＡＮ，無線ＬＡＮ，インターネットなどの通信網（複数の通信網を組み合わせても良い）を介して接続されていても良い。また、会話装置１０と会話サーバ２０とは、必ずしも個別独立の装置でなくとも良く、会話装置１０と会話サーバ２０とを同一の装置により実現する構成であっても本発明は成立する。
【００３９】
図３は、会話サーバ２０の一構成例を示すブロック図である。会話サーバ２０は、会話装置１０と通信可能な回答処理部２１と、回答処理部２１に接続された意味解釈辞書部２３及び会話シナリオ記憶部２２とを有している。
【００４０】
回答処理部２１は、会話装置１０から入力文を受け取り、この入力文に応じた回答文を会話シナリオ記憶部２２に記憶されている会話シナリオに基づいて選択若しくは決定し、決定した回答文とこの回答文に対応づけられた動作制御情報を会話装置１０に送信する。また、回答処理部２１は、意味解釈辞書部２３が記憶する意味解釈辞書を参照して、入力文の同意語又は同意文を取得し、この同意語又は同意文に基づいた回答文の選択若しくは決定を行う。
【００４１】
意味解釈辞書部２３は、入力文に対応する回答文の言い換え（同意語による拡張など）をおこなうための意味解釈辞書を記憶する機能を有する。意味解釈辞書はシソーラスのような機能を有するデータベースに相当する。
【００４２】
会話シナリオ記憶部２２は、会話シナリオ編集装置３０によって生成、又は編集された会話シナリオ４０を記憶する機能を有する。会話シナリオ４０の説明については後述する。
【００４３】
［１．３．会話シナリオ編集装置］
会話シナリオ編集装置３０は、前述の会話サーバ２０が使用する会話シナリオを新たに生成し、又は生成済みの会話シナリオを変更し、内容を追加し、又は内容の一部削除を行って修正された会話シナリオを生成する機能を有する。
【００４４】
会話シナリオ編集装置３０は、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備している情報処理装置などであって、例えばコンピュータ、ワークステーションなどである。会話シナリオ編集装置３０の前記ＲＯＭ、若しくはハードディスク装置などにプログラムが記憶されており、このプログラムを主メモリ上に載せ、ＣＰＵがこれを実行することにより会話シナリオ編集装置３０が実現される。また、上記プログラムは必ずしも情報処理装置内の記憶装置に記憶されていなくともよく、外部の装置（例えば、ＡＳＰ（アプリケーション・サービス・プロバイダのサーバなど））から提供され、これを主メモリに乗せる構成であってもよい。
【００４５】
図４は、会話シナリオ編集装置３０の一構成例を示すブロック図である。会話シナリオ編集装置３０は、入力部３１と、入力部３１に接続されたエディタ部３２と、エディタ部３２に接続された出力部３４及び会話シナリオ保持部３３と、会話シナリオ保持部３３に接続された言語モデル生成部３４とを有している。
【００４６】
入力部３１は、ユーザの入力を受け取り、これを電気信号などエディタ部３２が処理可能な信号に変換して渡す機能を有する。入力部３１は、例えば、キーボード、ポインティングデバイス、タッチパネル、マイクのいずれか或いはこれらの組み合わせである。
【００４７】
出力部３４は、編集中又は編集完了後の会話シナリオの内容を会話シナリオ編集装置３０の使用者（オペレータ）が認識可能な態様で出力する機能を有する。出力部３４は、例えば、液晶ディスプレイ装置などである。
【００４８】
エディタ部３２は、入力部３１から入力された内容に応じて、会話シナリオとしてのデータの生成、及びその編集（追加、変更、削除）を行う機能を有する。なお、編集中の会話シナリオの内容は出力部３４に表示させることにより、オペレータが会話シナリオの内容をリアルタイムで把握できるようにしている。また、エディタ部３２は、編集が完了した会話シナリオのデータを会話シナリオ保持部３３に出力する。
また、エディタ部３２は、生成されている会話シナリオにおいて適正な状態遷移関係が保たれているか否かをチェックし、違反が生じている場合にはオペレータに違反が生じていること、違反が生じている入力文又は回答文を知らせるメッセージ等を生成し、出力部に表示等させる機能を有していても良い。
また、エディタ部３２は会話サーバ２０の意味解釈辞書部２３に相当する意味解釈辞書部をさらに有していても良く、エディタ部３２はこの意味解釈辞書部を用いて、会話シナリオにおいて重複する意味内容の入力文又は回答文が存在する場合、これらを整理したり統合したりする、或いは整理、統合をオペレータに促す機能を有していても良い。
【００４９】
会話シナリオ保持部３３は、エディタ部３２から受け取った会話シナリオ４０を、後に読み取りできる態様で記憶又は保持する機能を有する。会話シナリオ保持部３３に記憶された会話シナリオ４０のデータは、必要に応じて、又は、所定のタイミングなどで会話サーバ２０の会話シナリオ記憶部２２に送られる。会話シナリオ保持部３３から会話シナリオ記憶部２２への会話シナリオ４０の転送は、記憶媒体を経由した態様で行われても良いし、通信網、通信ケーブルを経由して行われるものであってもよい。
【００５０】
言語モデル生成部３４は、会話シナリオ保持部３３に記憶された会話シナリオ４０から、この会話シナリオ４０に含まれる入力文、或いは入力文及び回答文から、これらに含まれる単語列の発生確率を算出し、算出した結果を言語モデル５０として記憶する機能を有する。
【００５１】
記憶された言語モデル５０は、必要に応じて、又は、所定のタイミングなどで会話装置１０の音声認識部１５に転送される。言語モデル生成部３４から音声認識部１５への言語モデル５０の転送は、記憶媒体を経由した態様で行われても良いし、通信網、通信ケーブルを経由して行われるものであってもよい。
【００５２】
［１．３．１．会話シナリオについて］
ここで、会話シナリオ４０について説明する。本発明における会話シナリオは下記の特徴を有する。
【００５３】
（１）回答文を「対象」とし、ユーザ発話（入力文）を「射」とする。
この特徴を備えることにより、会話シナリオが定める会話の流れを「状態遷移図」で表現することが可能となる。本発明の会話シナリオは、後述する「その他」機能を用いることにより、全ての入力文（ユーザ発話）に対応した回答文の出力が可能となる。また、後述する「タイマー」発話によりユーザの「無言」（入力無し）に対応できる（無言を射として扱える）。
【００５４】
図５は、会話シナリオの例を示す状態遷移図である。図中、楕円枠X1，X2，X3，X4はそれぞれ回答文であり、これらは「対象」に相当する。図中、矢印近傍に表示された文は、入力文であり、これらは「射」に相当する。図中＜その他＞はX1からの射「好きです」及び「嫌いです」以外の入力文を示す。図中、＜timer＞は、ユーザが無言のまま所定期間の経過させた状態を示す。また、「＜その他＞｜＜timer＞」という表記は、＜その他＞又は＜timer＞を意味する。
【００５５】
図５に示した例では、「何か食べたい」という「射」は回答文X1である「あなたはラーメンが好きですか」である「対象」に遷移させる。回答文X1の出力後、第１の射「嫌いです」が発生した場合には、回答文X4「残念！話題を変えましょう」に遷移する。一方、回答文X1の出力後、第２の射「好きです」が発生した場合には、回答文X3「じゃ、美味しい店を紹介してあげる」に遷移する。一方、回答文X1の出力後、第１及び第２の射以外の射が発生した場合又はユーザが無言のまま一定期間が経過した場合、回答文X2「ラーメンは好き？嫌い？」に遷移する。
【００５６】
上記図５の会話シナリオをデータとして表現すると、一例として図６のような内容となる。ここで、「X1（発話Ａ）X2」は回答列であり、X1の回答状態は発話ＡによりX2の回答状態に遷移することを記述している。
【００５７】
（２）射には合成が定義できる
この特徴により、主シナリオから分岐するような発話を受け付けることができるようになるとともに、分岐しても元（主シナリオ）に戻すことができる。従って、会話シナリオの作成者は自らが思い描く会話の流れ「ストーリー」が構築でき、このストーリーに沿った会話を会話システムに行わせることができる。
【００５８】
図７は、射の合成を含む会話シナリオの例を示した状態遷移図である。図中の記号及び表記については、図５に準じる。この例の会話シナリオでは、回答文X1「あなたはラーメンが好きですか？」の出力後、第１の射「嫌いです」が発生した場合には、回答文X3「そう？ラーメンは美味しいんだけどな」に遷移する。一方、第１の射以外の射が発生した場合又はユーザが無言のまま一定期間が経過した場合、回答文X2「本当に美味しい店を紹介してあげる」に遷移する。
【００５９】
上記の回答文X3「そう？ラーメンは美味しいんだけどな」の出力後は、一つの射＜その他＞｜＜timer＞のみが規定されており、いずれの入力文（ユーザ発話）又は一定期間の経過により回答文X2「本当に美味しい店を紹介してあげる」に遷移する。
【００６０】
このような射の合成を含む会話シナリオの例を使用することを可能としているため、本発明では、相手の発話を尊重しつつ、固執したい自分の発話に導くことが可能となる。
なお、上記図７の会話シナリオを回答列として表現すると、図８のような内容となる。ここにX2はX2の引用である。引用されたX2の引用元はX2であり、形式的には、対象X1とX2との間に射「(嫌いです) X3 (<その他>|<timer>)」が定められていることに相当する。この射は、射「嫌いです」と射「<その他>|<timer>」の合成である。
【００６１】
（３）単位元が定義できる
【００６２】
本発明の会話シナリオでは、単位元が定義できる。「単位元」とは対象を遷移させない射をいう。単位元が定義できることにより、以下のことが可能となる。
（イ）  ユーザ発話に対して「強制回答」をすることができる。
図９は、強制回答を行う会話シナリオの例を示した状態遷移図である。この例では、回答文X1「私はラーメンが好きです。ラーメンこそグルメの本質」の出力時において、NULLの付いた第１の射＜その他＞が規定されており、どのような入力文（ユーザ発話）であっても、入力文を無視して「私はラーメンが好きです。ラーメンこそグルメの本質」の強制出力がなされる。一方、回答文X1「私はラーメンが好きです。ラーメンこそグルメの本質」の出力後、第２の射＜timer＞により回答文X2「本当に美味しい店を紹介してあげる」に遷移する。
この例では、相手の発話を無視することを「NULL」と表記している。図９に示した例では、全ての発話を無視するために<その他>にNULLを付けているが、「嫌い」だけを無視するようにすることもできる。
【００６３】
なお、上記図９の会話シナリオを回答列として表現すると、図１０のような内容となる。回答列「X1 (<その他>) X1」において、「(<その他>)」はX1からX1への射であり、単位元である。
【００６４】
（ロ）ユーザ発話に対して「固執回答」をすることができる。図１１は、ユーザ発話に対して「固執回答」をする会話シナリオの例を示す状態遷移図である。図１１の例では、回答文X1「ラーメン好き？嫌い？」の出力後、第１の射「嫌いです」が発生した場合には、回答文X3「そう？ラーメンは美味しいんだけどな」に遷移する。一方、回答文X1の出力後、第２の射「好き」が発生した場合には、回答文X2「本当に美味しい店を紹介してあげる」に遷移する。一方、回答文X1の出力後、第１及び第２の射以外の射が発生した場合又はユーザが無言のまま一定期間が経過した場合、再び回答文X1「ラーメンは好き？嫌い？」に戻る。このようにして、ユーザに「好き」か「嫌い」かの二者択一を強制的に行わせることができるようになる。
【００６５】
なお、上記図１１の会話シナリオを回答列として表現すると、図１２のような内容となる。ここにX1はX1の引用である。引用されたX1は引用元のX1と同じ遷移先を有する。このような意味でX1とX1は同形であり、この場合の射「(<その他>|<timer>)」もX1からX1への射に相当するので単位元と呼ぶ。
【００６６】
（ハ）「合成により構成された単位元」により「閉ループ回答」が構築できる。この特徴を備えることにより、閉じられたループの中で相手の発話を促すことが可能となる。図１３は、「合成により構成された単位元」により「閉ループ回答」が構築された会話シナリオの例を示した状態遷移図である。この例では、回答文X1、X2，X3，X4によって閉ループが構築されており、この閉ループにより会話の流れをコントロールすることが可能となる。上記図１３の会話シナリオを回答列として表現すると、図１４のような内容となる。この場合にもX1からX1の射に相当する
(<その他>|<timer>) X2 (<その他>|<timer>) 
X3 (<その他>|<timer>) X4 (<その他>|<timer>) 
を単位元と呼ぶ。この場合の単位元は「閉ループ」を構成している。
以上で、「項目（３）単位元が定義できる」の説明を終了する。
【００６７】
（４）射の合成には結合法則が成り立つ
この特徴により、ある射に対応する回答列Sに対して、異なる２つの経路に沿う回答列S1とS2の構築が可能であり、しかもそれらが等しいものとして扱うことができる。このとき、Sをある問題に関わる回答列とすると、S1とS2は、Sに対する異なる解釈を与える回答列であり、問題解決に関わる情報を提供している。この特徴を有するが故に、本発明にかかる会話シナリオでは、ロジカルなユーザ発話に対応することができる。
図１５に、射の合成に結合法則が成り立つ会話シナリオの例の状態遷移図を示す。なお、上記図１５の会話シナリオを回答列として表現すると、図１６のような内容となる。ここに、X2はX2の引用である。形式的に次式が成立する。
(ヒントは) X3 (××です) X4 (<その他>|<timer>)
＝ (××です) X4 (<その他>|<timer>)
＝ (ヒントは) X3 (<その他>|<timer>)
【００６８】
（５）可換な図式が描ける
この特徴により、任意の対象に到着するための射が定義できる。このため、シナリオにゴールが設定できるとともに、シナリオ全体の把握ができることとなる。
【００６９】
（６）その他
本発明は、「入力文を対象とし、回答文を射として扱える談話の範囲」では「検索の仕組みが全く異なるため、「入力文を射とし、回答文を対象として扱える談話の範囲」と同様の扱いはできない。本件では、前者のような談話の範囲は扱わない。
【００７０】
［１．５．会話シナリオ編集装置の位置づけ］
ここで、本発明の会話シナリオ編集装置３０の位置づけについてまとめる。
（１）対象と射とを有する会話シナリオに関しては、以下の特徴をあげることができる。
・回答文を対象、入力文を射とする（状態遷移）
・入力文を尊重しつつ、固執したい回答文に導く（文脈維持：合成）
・入力文とは関係なく、回答文を言い切る（強制回答：単位元）
・相手に対して必要な発話を言うまで繰り返し催促する（固執回答：単位元）
・閉じられたループの中で入力文を促す（閉ループ：単位元）
・問題解決に繋がるような会話を行う（問題解決：結合法則）
・ゴールに向かうような会話を行う（ゴールのある会話：可換な図式）
なお、回答列によっても上記の特徴を整理することができる。会話シナリオ編集装置３０は、上記の会話シナリオの特徴を回答列で表現する機能を有したものである。
【００７１】
上上記の会話シナリオを利用することにより、会話サーバ２０は、単なる検索を行えばよい。すなわち、会話サーバは、現在の状態を、会話シナリオの対象（回答文）として把握し、利用者発話が発生した場合には、会話サーバ２０は、意味解析を行いながら最適な射（入力文）を検索し、次の状態は、検索された射（入力文）に対応する対象（回答文）とする。
【００７２】
なお、上記の会話シナリオは状態遷移図やそれに基づいたデータ（図６，８，１０等）として表現するだけでなく、図１７に示すような、アウトラインエディタのようなＧＵＩを用いて生成、編集されるようにしてもかまわない。
【００７３】
［２．会話シナリオ生成装置の動作例］
次に、上記会話シナリオ編集装置３０の動作例について説明する。
本実施の形態にかかる会話シナリオ編集装置３０は、複数の異なる主題（会話のテーマ）についてユーザとの会話を成立させることが出来る。図１８は、会話シナリオ保持部３３及び会話シナリオ記憶部２２（以下、単に会話シナリオ保持部３３と略す）が記憶する会話シナリオのデータ構成例を示す図である。
【００７４】
会話シナリオ保持部３３は、談話の圏又は主題（会話テーマ）２０１に対応するドメイン２００ごとに個別の会話シナリオデータを持つことが出来る。例えば、「天候」ドメインと「コーヒー豆」ドメインそれぞれに関する会話シナリオデータを有することが出来、ユーザが天候に関する発話をした場合には、会話サーバ２０、より詳しくは回答処理部２１は、「天候」ドメインである会話シナリオデータを優先して入力文（ユーザ発話ともいう）に対応する回答文（システム発話ともいう）を探索し、ユーザ発話に応答するシステム発話を出力させる。一方、ユーザが「コーヒー豆」に関する発話をした場合には、回答処理部２１は、「コーヒー豆」ドメインである会話シナリオデータを優先してユーザ発話に対応するシステム発話を探索し、ユーザ発話に応答するシステム発話を出力させる。
【００７５】
各ドメイン２００は、ユーザ発話文（入力文に相当する、以下同じ）２１０とユーザ発話文に対する自動会話システムの回答として用意されたシステム発話文２２０を有している。図１８に示した例では、ユーザ発話分２１０−１と、これに関連づけされたシステム発話２２０−１が記録されているともに、このシステム発話２２０−１に応答してユーザが発話すると想定されるユーザ発話文２１０−２が記録され、このユーザ発話文２１０−２に対する自動会話システムの回答として用意されたシステム発話文２２０―２が記録されている。
例えば、上記の会話シナリオは以下のようなユーザとシステムの会話となる。
ユーザ発話文２１０−１：「いい天気ですね」
システム発話文２２０―１：「いい天気は好きですか？」
ユーザ発話文２１０−１：「はい、好きですよ」
システム発話文２２０―１：「雨の日は嫌いですか？」
【００７６】
図１８に示した会話シナリオは最も単純な形態のものを示した。本自動会話システムが扱える会話シナリオでは、同一のシステム発話に対して、ユーザが異なる反応をしてユーザ発話を返した場合に対応できるよう、一つのシステム発話文に対して複数のユーザ発話文を用意することも可能である。
【００７７】
会話シナリオ編集装置３０は、会話シナリオ保持部３３に格納させる新たなドメイン２００と、そのドメイン２００ユーザ発話文２１０、システム発話文２２０からなる会話シナリオデータを生成し、会話シナリオ保持部３３に記憶させる機能を有する。
【００７８】
［３．会話シナリオの入力例］
次に、会話シナリオの入力例について説明する。図１９から図２３は、あるドメイン２００について会話シナリオを入力した場合の入力画面の遷移の一例を示した図である。
【００７９】
図１９は、会話シナリオ編集装置３０によって生成された入力インターフェイス画面の一例を示す。ここでは、ドメイン２００が「コーヒー豆」についてのものであるとして説明する。
【００８０】
会話シナリオ編集装置３０、より詳しくはエディタ部＠は、入力インターフェイスとなるウインドウ３００を生成し、出力部３４に表示させる。ウインドウ３００には表示領域３０１が設けられており、ユーザが入力部３１を操作することによって、ユーザ発話文及びシステム発話文がここに入力される。図１９の例では、ドメイン名３０２が表示されており、このドメイン２００に格納される会話シナリオの入力を待ち受けている状態である。
図２０は、このドメイン２００に格納される会話シナリオの開始であるユーザ発話文４０１が入力され他状態の画面例である。
【００８１】
実際に自動会話が実行される場合には、会話サーバ２０の回答処理部２１は、ユーザ発話がここで記述されているユーザ発話文４０１「コーヒー豆について」と一致するか、或いはこれと同一視可能な発話内容である場合には、ユーザ発話に応答するシステム発話文を抽出するドメイン２００としてドメイン名３０３を「コーヒー豆」とするドメイン２００を会話シナリオ記憶部２２から選択し、このドメイン２００を優先してシステム発話文を選択することになる。
【００８２】
会話シナリオの入力者であるユーザは、上記ユーザ発話文４０１に対する回答であるシステム発話文の入力を行う。図２１は、ユーザ発話文４０１「コーヒー豆について」についてのシステム発話文５０１がユーザにより入力された状態のウインドウ３００の表示例を示す。この例では、「コーヒー豆について」というユーザ発話文４０１に対して、『味の特徴についてお答えします。「モカ」、「ブルーマウンテン」、「キリマンジャロ」のうち、どれが知りたいですか？』という問いかけであるシナリオ回答文５０１を自動会話システムが発する会話シナリオが記述されたものとする。
【００８３】
次に、会話シナリオの入力者であるユーザは、上記シナリオ回答文５０１に対して、予想されるユーザ発話文を入力する。図２２は、前記のシナリオ回答文５０１に対して、予想されるユーザ発話文６０１が入力された状態のウインドウ３００の表示例を示す。この例では、『味の特徴についてお答えします。「モカ」、「ブルーマウンテン」、「キリマンジャロ」のうち、どれが知りたいですか？』というシステム発話文５０１に対して、ユーザが「ブルーマウンテン」という回答をすると予想して、ユーザ発話文６０１「ブルーマウンテン」がユーザにより入力されたものとする。
【００８４】
次に、会話シナリオの入力者であるユーザは、上記ユーザ発話文６０１に対するシステム発話文を入力する。図７は、前記のユーザ発話文６０１に対するシステム発話文７０１が入力された状態のウインドウ３００の表示例を示す。会話シナリオの入力者は、ユーザ発話文６０１の回答として、システム発話文７０１を入力する。
【００８５】
このような会話シナリオにより、自動会話システムはユーザがコーヒー豆のブルーマウンテンについて知りたい場合に、その回答を返すことが出来るようになる。なお、これ以降も会話シナリオの入力者は、ユーザと自動会話システムの会話が続くように、ユーザ発話文、システム発話文の入力を継続することが出来る。
【００８６】
上記のようにして入力された会話シナリオ（ユーザ発話文とシステム発話文の集合）は、エディタ部３２により会話シナリオ保持部３３へ書き込まれ、記憶される。この会話シナリオは会話サーバ２０の会話シナリオ記憶部２２に移される。なお、会話シナリオ記憶部２２に移される場合に、会話サーバ２０に適したものとするように会話シナリオの変換、移植を行うようにしてもよい。
【００８７】
会話サーバ２０の回答処理部２１は会話シナリオ記憶部２２に記憶された新たな会話シナリオをも参照して、ユーザ発話に対するシナリオ回答を出力できるようになる。
［３．変形例］
本実施の形態は、以下のように変形されても成立する。
（１）会話シナリオ編集装置の変形例
図２４に変形例にかかる会話シナリオ編集装置３０Ｘの機能ブロック図である。会話シナリオ編集装置３０Ｘは、基本的に前述した会話シナリオ編集装置３０と同様の構成を有しており、会話シナリオ保持部３３に接続された動的知識生成部３５を有している点が異なっている。なお、同一の構成要素については同一の参照符号を付し、それらの説明については省略する。
動的知識生成部３５は、会話シナリオ保持部３３に記憶される会話シナリオ４０にもとづいて、動的知識４０Ｘを生成する機能を有する。動的知識４０Ｘは、回答列である会話シナリオ４０から、会話サーバ２０がより高速且つ高効率に射である入力文および、その対象である回答文を検索できるように再構成されたデータである。
かかる変形例によれば、会話サーバ２０の処理負荷を低減させ、高速な回答文の返信を可能とすることができる。
［４．会話サーバの構成の別の例］
本発明にかかる会話サーバ２０、回答処理部２１は下記のような構成を採用しても、本発明を実現可能である。以下、会話サーバ２０，より詳しくは回答処理部２１の構成例について述べる。図２５は、回答処理部２１の拡大ブロック図であって、会話制御部３００及び文解析部４００の具体的構成例を示すブロック図である。回答処理部２１は、会話制御部３００と、文解析部４００と、会話データベース５００を有している。会話データベース５００は、会話シナリオ４０又は、動的知識４０Ｘを記憶する機能を有する。
【００８８】
［４．１．４．文解析部］
次に、図２５を参照しながら文解析部４００の構成例について説明する。
【００８９】
文解析部４００は、入力部１００又は音声認識部２００で特定された文字列を解析するものである。この文解析部４００は、本実施の形態では、図２５に示すように、文字列特定部４１０と、形態素抽出部４２０と、形態素データベース４３０と、入力種類判定部４４０と、発話種類データベース４５０とを有している。文字列特定部４１０は、入力部１００及び音声認識部２００で特定された一連の文字列を一文節毎に区切るものである。この一文節とは、文法の意味を崩さない程度に文字列をできるだけ細かく区切った一区切り文を意味する。具体的に、文字列特定部４１０は、一連の文字列の中に、ある一定以上の時間間隔があるときは、その部分で文字列を区切る。文字列特定部４１０は、その区切った各文字列を形態素抽出部４２０及び入力種類判定部４４０に出力する。尚、以下で説明する「文字列」は、一文節毎の文字列を意味するものとする。
【００９０】
［４．１．４．１．形態素抽出部］
形態素抽出部４２０は、文字列特定部４１０で区切られた一文節の文字列に基づいて、その一文節の文字列の中から、文字列の最小単位を構成する各形態素を第一形態素情報として抽出するものである。ここで、形態素とは、本実施の形態では、文字列に現された語構成の最小単位を意味するものとする。この語構成の最小単位としては、例えば、名詞、形容詞、動詞などの品詞が挙げられる。
【００９１】
各形態素は、図２６に示すように、本実施の形態ではm１、m２、m３…、と表現することができる。図２６は、文字列とこの文字列から抽出される形態素との関係を示す図である。図２６に示すように、文字列特定部４１０から文字列が入力された形態素抽出部４２０は、入力された文字列と、形態素データベース４３０に予め格納されている形態素群（この形態素群は、それぞれの品詞分類に属する各形態素についてその形態素の見出し語・読み・品詞・活用形などを記述した形態素辞書として用意されている）とを照合する。その照合をした形態素抽出部４２０は、その文字列の中から、予め記憶された形態素群のいずれかと一致する各形態素（m１、m２、…）を抽出する。この抽出された各形態素を除いた要素（n１、n２、n３…）は、例えば助動詞等が挙げられる。
【００９２】
この形態素抽出部４２０は、抽出した各形態素を第一形態素情報として話題特定情報検索蔀３２０に出力する。なお、第一形態素情報は構造化されている必要はない。ここで「構造化」とは、文字列の中に含まれる形態素を品詞等に基づいて分類し配列することをいい、たとえば発話文である文字列を、「主語＋目的語＋述語」などの様に、所定の順番で形態素を配列してなるデータに変換することを言う。もちろん、構造化した第一形態素情報を用いたとしても、それが本実施の形態を実現をさまたげることはない。
【００９３】
［４．１．４．２．入力種類判定部］
入力種類判定部４４０は、文字列特定部４１０で特定された文字列に基づいて、発話内容の種類（発話種類）を判定するものである。この発話種類は、発話内容の種類を特定する情報であって、本実施の形態では、例えば図２７に示す「発話文のタイプ」を意味する。図２７は、「発話文のタイプ」と、その発話文のタイプを表す二文字のアルファベット、及びその発話文のタイプに該当する発話文の例を示す図である。
【００９４】
ここで、「発話文のタイプ」は、本実施の形態では、図２７に示すように、陳述文（D ; Declaration）、時間文（T ; Time）、場所文（L ; Location）、反発文（N ; Negation）などから構成される。この各タイプから構成される文は、肯定文又は質問文で構成される。「陳述文」とは、利用者の意見又は考えを示す文を意味するものである。この陳述文は本実施の形態では、図２７に示すように、例えば"私は佐藤が好きです"などの文が挙げられる。「場所文」とは、場所的な概念を伴う文を意味するものである。「時間文」とは、時間的な概念を伴う文を意味するものである。「反発文」とは、陳述文を否定するときの文を意味する。「発話文のタイプ」についての例文は図２７に示す通りである。
【００９５】
入力種類判定部４４０が「発話文のタイプ」を判定するには、入力種類判定部４４０は、本実施の形態では、図２８に示すように、陳述文であることを判定するための定義表現辞書、反発文であることを判定するための反発表現辞書等を用いる。具体的に、文字列特定部４１０から文字列が入力された入力種類判定部４４０は、入力された文字列に基づいて、その文字列と発話種類データベース４５０に格納されている各辞書とを照合する。その照合をした入力種類判定部４４０は、その文字列の中から、各辞書に関係する要素を抽出する。
【００９６】
この入力種類判定部４４０は、抽出した要素に基づいて、「発話文のタイプ」を判定する。例えば、入力種類判定部４４０は、ある事象について陳述している要素が文字列の中に含まれる場合には、その要素が含まれている文字列を陳述文として判定する。入力種類判定部４４０は、判定した「発話文のタイプ」を回答取得部３８０に出力する。
【００９７】
［４．１．５．会話データベース］
次に、会話データベース５００が記憶するデータのデータ構成例について図２９を参照しながら説明する。図２９は、会話データベース５００が記憶するデータの構成例を示す概念図である。
【００９８】
会話データベース５００は、図２９に示すように、話題を特定するための話題特定情報８１０を予め複数記憶している。又、それぞれの話題特定情報８１０は、他の話題特定情報８１０と関連づけられていてもよく、例えば、図２９に示す例では、話題特定情報Ｃ（８１０）が特定されると、この話題特定情報Ｃ（８１０）に関連づけられている他の話題特定情報Ａ（８１０）、話題特定情報Ｂ（８１０），話題特定情報Ｄ（８１０）が定まるように記憶されている。
【００９９】
具体的には、話題特定情報８１０は、本実施の形態では、利用者から入力されると予想される入力内容、又は利用者への回答文に関連性のある「キーワード」を意味する。
【０１００】
話題特定情報８１０には、一又は複数の話題タイトル８２０が対応付けられて記憶されている。話題タイトル８２０は、一つの文字、複数の文字列又はこれらの組み合わせからなる形態素により構成されている。各話題タイトル８２０には、利用者への回答文８３０が対応付けられて記憶されている。また、回答文８３０の種類を示す複数の回答種類は、回答文８３０に対応付けられている。
【０１０１】
次に、ある話題特定情報８１０と他の話題特定情報８１０との関連づけについて説明する。図３０は、ある話題特定情報８１０Ａと他の話題特定情報８１０Ｂ、８１０Ｃ１〜８１０Ｃ４、８１０Ｄ１〜８１０Ｄ３…との関連付けを示す図である。なお、以下の説明において「関連づけされて記憶される」とは、ある情報Ｘを読み取るとその情報Ｘに関連づけられている情報Ｙを読み取りできることをいい、例えば、情報Ｘのデータの中に情報Ｙを読み出すための情報（例えば、情報Ｙの格納先アドレスを示すポインタ、情報Ｙの格納先物理メモリアドレス、論理アドレスなど）が格納されている状態を、「情報Ｙが情報Ｘに『関連づけされて記憶され』ている」というものとする。
【０１０２】
図３０に示す例では、話題特定情報は他の話題特定情報との間で上位概念、下位概念、同義語、対義語（本図の例では省略）が関連づけされて記憶させることができる。本図に示す例では、話題特定情報８１０Ａ（＝「映画」）に対する上位概念の話題特定情報として話題特定情報８１０Ｂ（＝「娯楽」）が話題特定情報８１０Ａに関連づけされて記憶されており、たとえば話題特定情報（「映画」）に対して上の階層に記憶される。
【０１０３】
また、話題特定情報８１０Ａ（＝「映画」）に対する下位概念の話題特定情報８１０Ｃ１（＝「監督」）、話題特定情報８１０Ｃ２（＝「主演」）、話題特定情報８１０Ｃ３（＝「配給会社」）、話題特定情報８１０Ｃ４（＝「上映時間」）、および話題特定情報８１０Ｄ１（＝「七人の侍」）、話題特定情報８１０Ｄ２（＝「乱」）、話題特定情報８１０Ｄ３（＝「用心棒」）、…、が話題特定情報８１０Ａに関連づけされて記憶されている。
【０１０４】
又、話題特定情報８１０Ａには、同義語９００が関連付けられている。この例では、話題特定情報８１０Ａであるキーワード「映画」の同義語として「作品」、「内容」、「シネマ」が記憶されている様子を示している。このような同意語を定めることにより、発話にはキーワード「映画」は含まれていないが「作品」、「内容」、「シネマ」が発話文等に含まれている場合に、話題特定情報８１０Ａが発話文等に含まれているものとして取り扱うことを可能とする。
【０１０５】
回答処理部２１は、会話データベース５００の記憶内容を参照することにより、ある話題特定情報８１０を特定するとその話題特定情報８１０に関連づけられて記憶されている他の話題特定情報８１０及びその話題特定情報８１０の話題タイトル８２０、回答文８３０などを高速で検索・抽出することが可能となる。
【０１０６】
次に、話題タイトル８２０（「第二形態素情報」ともいう）のデータ構成例について、図３１を参照しながら説明する。図３１は、話題タイトル８２０のデータ構成例を示す図である。
【０１０７】
話題特定情報８１０Ｄ１、８１０Ｄ２、８１０Ｄ３、…はそれぞれ複数の異なる話題タイトル８２０１、８２０２、…、話題タイトル８２０３、８２０４、…、話題タイトル８２０５、８２０６、…を有している。本実施の形態では、図３１に示すように、それぞれの話題タイトル８２０は、第一特定情報１００１と、第二特定情報１００２と、第三特定情報１００３によって構成される情報である。ここで、第一特定情報１００１は、本実施の形態では、話題を構成する主要な形態素を意味するものである。第一特定情報１００１の例としては、例えば文を構成する主語が挙げられる。また、第二特定情報１００２は、本実施の形態では、第一特定情報１００１と密接な関連性を有する形態素を意味するものである。この第二特定情報１００２は、例えば目的語が挙げられる。更に、第三特定情報１００３は、本実施の形態では、ある対象についての動きを示す形態素、又は名詞等を修飾する形態素を意味するものである。この第三特定情報１００３は、例えば動詞、副詞又は形容詞が挙げられる。なお、第一特定情報１００１、第二特定情報１００２、第三特定情報１００３それぞれの意味は上述の内容に限定される必要はなく、別の意味（別の品詞）を第一特定情報１００１、第二特定情報１００２、第三特定情報１００３に与えても、これらから文の内容を把握可能な限り、本実施の形態は成立する。
【０１０８】
例えば、主語が「七人の侍」、形容詞が「面白い」である場合には、図３１に示すように、話題タイトル（第二形態素情報）８２０２は、第一特定情報１００１である形態素「七人の侍」と、第三特定情報１００３である形態素「面白い」とから構成されることになる。なお、この話題タイトル８２０２には第二特定情報１００２に該当する形態素は含まれておらず、該当する形態素がないことを示すための記号「＊」が第二特定情報１００２として格納されている。
【０１０９】
なお、この話題タイトル８２０２（七人の侍；＊；面白い）は、「七人の侍は面白い」の意味を有する。この話題タイトル８２０を構成する括弧内は、以下では左から第一特定情報１００１、第二特定情報１００２、第三特定情報１００３の順番となっている。また、話題タイトル８２０のうち、第一から第三特定情報に含まれる形態素がない場合には、その部分については、「＊」を示すことにする。
【０１１０】
なお、上記話題タイトル８２０を構成する特定情報は、上記のような第一から第三特定情報のように三つに限定されるものではなく、例えば更に他の特定情報（第四特定情報、およびそれ以上）を有するようにしてもよい。
【０１１１】
次に、回答文８３０について図３２を参照して説明する。回答文８３０は、図３２に示すように、本実施の形態では、利用者から発話された発話文のタイプに対応した回答をするために、陳述（D ; Declaration）、時間（T ; Time）、場所（L ; Location）、否定（N ; Negation）などのタイプ（回答種類）に分類されて、各タイプごとに用意されている。また肯定文は「Ａ」とし、質問文は「Ｑ」とする。
【０１１２】
話題特定情報８１０のデータ構成例について、図３３を参照して説明する。図３３は、ある話題特定情報８１０「佐藤」に対応付けされた話題タイトル８２０，回答文８３０の具体例を示す。  
話題特定情報８１０「佐藤」には、複数の話題タイトル（８２０）１−１、１−２、…が対応付けされている。それぞれの話題タイトル（８２０）１−１，１−２，…には回答文（８３０）１−１，１−２、…が対応付けされて記憶されている。回答文８３０は、回答種類８４０ごとに用意されている。
【０１１３】
話題タイトル（８２０）１−１が(佐藤；＊；好き){これは、「佐藤が好きです」に含まれる形態素を抽出したもの}である場合には、その話題タイトル（８２０）１-１に対応する回答文（８３０）１−１は、(DA；陳述肯定文「私も佐藤が好きです」)、(TA；時間肯定文「私は打席に立ったときの佐藤が好きです」)などが挙げられる。後述する回答取得部３８０は、入力種類判定部４４０の出力を参照しながらその話題タイトル８２０に対応付けられた一の回答文８３０を取得する。
【０１１４】
各回答文には、当該回答文に対応するように、ユーザ発話に対して優先的に出力される回答文（「次回答文」とよぶ）を指定する情報である次プラン指定情報８４０が定められている。次プラン指定情報８４０は、次回答文を特定できる情報であれば、どのような情報であってもよく、たとえば、会話データベース５００に格納されているすべての回答文から少なくとも一つの回答文を特定できる回答文ＩＤ、などである。
【０１１５】
なお、本実施の形態においては、次プラン指定情報８４０は、回答文単位で次回答文を特定する情報（例えば、回答文ＩＤ）として説明するが、次プラン指定情報８４０は、話題タイトル８２０、話題特定情報８１０単位で、次回答文（この場合には、複数の回答文が次回答文として指定されるので、次回答文群とよぶ。ただし、実際に回答文として出力されるのは、この回答文群に含まれるいずれかの回答文となる）を特定する情報であってもかまわない。たとえば、話題タイトルＩＤ、話題特定情報ＩＤを時プラン指定情報として使用しても本実施の形態は成立する。
【０１１６】
［４．１．６．会話制御部］
ここで図２５に戻り、会話制御部３００の構成例を説明する。  
会話制御部３００は、回答処理部２１内の各構成要素（音声認識部２００，文解析部４００、会話データベース５００，出力部６００，音声認識辞書記憶部７００）間のデータの受け渡しを制御するとともに、ユーザ発話に応答する回答文の決定、出力を行う機能を有する。
【０１１７】
会話制御部３００は、本実施の形態では、図２５に示すように、管理部３１０と、プラン会話処理部３２０と，談話空間会話制御処理部３３０と、CA会話処理部３４０とを有している。以下これらの構成要素について説明する。  
［４．１．６．１．管理部］
管理部３１０は談話履歴を記憶し、且つ必要に応じて更新する機能を有する。管理部３１０は話題特定情報検索部３５０と、省略文補完部３６０と、話題検索部３７０と、回答取得部３８０からの要求に応じて、記憶している談話履歴の全部又は一部をこれら各部に渡す機能を有する。
【０１１８】
［４．１．６．２．プラン会話処理部］
プラン会話処理部３２０は、プランを実行し、プランに従った会話をユーザとの間で成立させる機能を有する。「プラン」とは、予め定めた順番に従って予め定めた回答をユーザに提供することをいう。以下、プラン会話処理部３２０について説明する。
【０１１９】
プラン会話処理部３２０は、ユーザ発話に応じて、予め定めた順番に従って予め定めた回答を出力する機能を有する。
【０１２０】
図３４は、プランを説明するための概念図である。図３４に示すように、プラン空間１４０１には複数のプラン１、プラン２，プラン３、プラン４など様々なプラン１４０２があらかじめ準備されている。プラン空間１４０１とは、会話データベース５００に格納された複数のプラン１４０２の集合をいう。回答処理部２１は、装置起動時若しくは会話開始時にあらかじめ開始用に定められたプランを選択し、若しくは各ユーザ発話の内容に応じて、プラン空間１４０１の中から適宜いずれかのプラン１４０２を選択し、選択したプラン１４０２を用いてユーザ発話に対する回答文の出力を行う。
【０１２１】
図３５は、プラン１４０２の構成例を示す図である。プラン１４０２は、回答文１５０１と、これに関連づけられた次プラン指定情報１５０２を有している。次プラン指定情報１５０２は、当該プラン１４０２に含まれる回答文１５０１の次に、ユーザに出力する予定の回答文（次候補回答文と呼ぶ）を含むプラン１４０２を特定する情報である。この例では、プラン１は、プラン１実行時に回答処理部２１が出力する回答文Ａ（１５０１）と、この回答文Ａ（１５０１）に関連づけられた次プラン指定情報１５０２とを有している。次プラン指定情報１５０２は、回答文Ａ（１５０１）についての次候補回答文である回答文Ｂ（１５０１）を有するプラン１４０２を特定する情報「ＩＤ：００２」である。同様に、回答文Ｂ（１５０１）についても、次プラン指定情報１５０２が定められており、回答文Ｂ（１５０１）が出力された場合に、次候補回答文を含むプラン２（１４０２）が指定される。このように、プラン１４０２は次プラン指定情報１５０２により連鎖的につながり、一連の連続した内容をユーザに出力するというプラン会話を実現する。すなわち、ユーザに伝えたい内容（説明文、案内文、アンケート、など）を複数の回答文に分割し、かつ各回答文の順番を予め定めてプランとして準備して置くことにより、ユーザの発話に応じてこれら回答文を順番にユーザに提供することが可能となる。なお、次プラン指定情報１５０２によって指定されたプラン１４０２に含まれる回答文１５０１は、直前の回答文の出力に応答するユーザ発話があれば、必ずしも直ちに出力される必要はなく、ユーザと回答処理部２１との間で、当該プラントは別の話題についての会話を挟んだ後に、次プラン指定情報１５０２によって指定されたプラン１４０２に含まれる回答文１５０１が出力されることもあり得る。
【０１２２】
なお、図３５に示す回答文１５０１は、図３３に示す回答文８３０の中のいずれか一の回答文文字列に対応し、また図３５に示す次プラン指定情報１５０２は、図３３に示す次プラン指定情報８４０に対応している。
【０１２３】
なお、プラン１４０２のつながりは、図３５に示すような一次元的配列に限られるものではない。図３６は、図３５とは別のつながり方を有するプラン１４０２の例を示す図である。図３６に示す例では、プラン１（１４０２）は次候補回答文となる２つの回答文１５０１，すなわちプラン１４０２を指定できるよう、２つの次プラン指定情報１５０２を有している。ある回答文Ａ（１５０１）を出力した場合の次候補回答文を有するプラン１４０２として、回答文Ｂ（１５０１）を有するプラン２（１４０２）、及び回答文Ｃ（１５０１）を有するプラン３（１４０２）の２つのプラン１４０２が定まるよう、次プラン指定情報１５０２が２つ設けられる。なお、回答文Ｂ、回答文Ｃは選択的・択一的であり、一方が出力された場合は他方は出力されず、当該プラン１（１４０２）は終了する。このように、プラン１４０２のつながりは一次元的順列の形態に限定されるものではなく、樹形図的な連結、網的な連結であってもかまわない。
【０１２４】
なお、各プランがいくつの次候補回答文を有するかは限定されるものではない。また、話の終了となるプラン１４０２については、次プラン指定情報１５０２が存在しないこともあり得る。
【０１２５】
図３７に、ある一連のプラン１４０２の具体例を示す。この一連のプラン１４０２１〜１４０２４は、危機管理に関する情報をユーザに知らせるための４つの回答文１５０１１〜１５０１４に対応している。４つの回答文１５０１１〜１５０１４は全部で一つのまとまりのある話（説明文章）を構成する。各プラン１４０２１〜１４０２４はそれぞれ「１０００−０１」「１０００−０２」「１０００−０３」「１０００−０４」というＩＤデータ１７０２１〜１７０２４を有している。なお、ＩＤデータ中のハイフン以下の番号は、出力の順番を示す情報である。また、各プラン１４０２１〜１４０２４はそれぞれ次プラン指定情報１５０２１〜１５０２４を有している。次プラン指定情報１５０２４の内容は、「１０００−０Ｆ」というデータであるが、このハイフン以下の番号「０Ｆ」は、次に出力する予定のプランは存在せず、当該回答文が一連の話（説明文章）の終わりであることを示す情報である。
【０１２６】
この例では、ユーザ発話が「大地震が発生したときの危機管理を教えて」である場合に、プラン会話処理部３２０がこの一連のプランを実行開始する。すなわち、ユーザ発話「大地震が発生したときの危機管理を教えて」をプラン会話処理部３２０が受け付けると、プラン会話処理部３２０はプラン空間１４０１を検索して、ユーザ発話「大地震が発生したときの危機管理を教えて」に対応する回答文１５０１１を有するプラン１４０２があるかどうかを調べる。この例では、「大地震が発生したときの危機管理を教えて」に対応するユーザ発話文字列１７０１１が、プラン１４０２１に対応するものとする。
【０１２７】
プラン会話処理部３２０はプラン１４０２１を発見すると、そのプラン１４０２１に含まれる回答文１５０１１を取得し、この回答文１５０１１をユーザ発話に対する回答として出力するとともに、次プラン指定情報１５０２１により次候補回答文を特定する。
【０１２８】
つぎに、回答文１５０１１の出力後に入力部１００や音声認識部２００などを介してユーザ発話を受け付けると、プラン会話処理部３２０は、プラン１４０２２の実行を行う。すなわち、プラン会話処理部３２０は、次プラン指定情報１５０２１により指定されたプラン１４０２２の実行、すなわち２番目の回答文１５０１２を出力するか否かを判定する。具体的には、プラン会話処理部３２０は当該回答文１５０１２に対応づけられたユーザ発話文字列（用例文ともいう）１７０１２、あるいは話題タイトル８２０（図３７において図略）と、受け付けたユーザ発話とを比較し、これらが一致するか否かを判定する。一致する場合には、２番目の回答文１５０１２を出力する。また、２番目の回答文１５０１２を含むプラン１４０２２には、次プラン指定情報１５０２２が記述されているので、次候補回答文が特定される。
【０１２９】
同様に、これ以降継続して成されるユーザ発話に応じて、プラン会話処理部３２０はプラン１４０２３、プラン１４０２４に順に移行して、３番目の回答文１５０１３、４番目の回答文１５０１３の出力を行うことができる。なお、４番目の回答文１５０１４は最終回答文であり、４番目の回答文１５０１４の出力が完了すると、プラン会話処理部３２０はプラン実行を終了する。
【０１３０】
このように、プラン１４０２１〜１４０２４を次々と実行することにより、あらかじめ用意した会話内容を定めた順番通りにユーザに提供することが可能となる。
【０１３１】
［１．１．６．３．談話空間会話制御処理部］
図２５に戻り、会話制御部３００の構成例の説明を続ける。  
談話空間会話制御処理部３３０は、話題特定情報検索部３５０と、省略文補完部３６０と、話題検索部３７０と、回答取得部３８０とを有している。前記管理部３１０は、会話制御部３００の全体を制御するものである。
【０１３２】
「談話履歴」とは、ユーザと回答処理部２１間の会話の話題や主題を特定する情報であって、談話履歴は後述する「着目話題特定情報」「着目話題タイトル」「利用者入力文話題特定情報」「回答文話題特定情報」の少なくともいずれか一つを含む情報である。また、談話履歴に含まれる「着目話題特定情報」「着目話題タイトル」「回答文話題特定情報」は直前の会話によって定められたものに限定されず、過去の所定期間の間に着目話題特定情報」「着目話題タイトル」「回答文話題特定情報」となったもの、若しくはそれらの累積的記録であってもよい。
【０１３３】
以下、談話空間会話制御処理部３３０を構成するこれら各部について説明する。  
［４．１．６．３．１．話題特定情報検索部］
話題特定情報検索部３５０は、形態素抽出部４２０で抽出された第一形態素情報と各話題特定情報とを照合し、各話題特定情報の中から、第一形態素情報を構成する形態素と一致する話題特定情報を検索するものである。具体的に、話題特定情報検索部３５０は、形態素抽出部４２０から入力された第一形態素情報が「佐藤」及び「好き」の二つの形態素で構成される場合には、入力された第一形態素情報と話題特定情報群とを照合する。
【０１３４】
この照合をした話題特定情報検索部３２０は、着目話題タイトル８２０focus（前回までに検索された話題タイトル、他の話題タイトルと区別するため８２０focusと表記する）に第一形態素情報を構成する形態素（例えば「佐藤」）が含まれているときは、その着目話題タイトル８２０focusを回答取得部３８０に出力する。一方、着目話題タイトル８２０focusに第一形態素情報を構成する形態素が含まれていないときは、話題特定情報検索部３５０は、第一形態素情報に基づいて利用者入力文話題特定情報を決定し、入力された第一形態素情報及び利用者入力文話題特定情報を省略文補完部３６０に出力する。なお、「利用者入力文話題特定情報」は、第一形態素情報に含まれる形態素の内、利用者が話題としている内容に該当する形態素に相当する話題特定情報、若しくは第一形態素情報に含まれる形態素の内、利用者が話題としている内容に該当する可能性がある形態素に相当する話題特定情報をいう。
【０１３５】
［４．１．６．３．２．省略文補完部］
省略文補完部３６０は、前記第一形態素情報を、前回までに検索された話題特定情報８１０（以下、「着目話題特定情報」と呼ぶ）及び前回の回答文に含まれる話題特定情報８１０（以下、「回答文話題特定情報」と呼ぶ）を利用して、補完することにより複数種類の補完された第一形態素情報を生成する。例えばユーザ発話が「好きだ」という文であった場合、省略文補完部３６０は、着目話題特定情報「佐藤」を、第一形態素情報「好き」に含めて、補完された第一形態素情報「佐藤、好き」を生成する。
【０１３６】
すなわち、第一形態素情報を「Ｗ」、着目話題特定情報や回答文話題特定情報の集合を「Ｄ」とすると、省略文補完部３６０は、第一形態素情報「Ｗ」に集合「Ｄ」の要素を含めて、補完された第一形態素情報を生成する。
【０１３７】
これにより、第一形態素情報を用いて構成される文が、省略文であって日本語として明解でない場合などにおいて、省略文補完部３６０は、集合「Ｄ」を用いて、その集合「Ｄ」の要素(例えば、"佐藤")を第一形態素情報「Ｗ」に含めることができる。この結果、省略文補完部３６０は、第一形態素情報「好き」を補完された第一形態素情報「佐藤、好き」にすることができる。なお、補完された第一形態素情報「佐藤、好き」は、「佐藤が好きだ」というユーザ発話に対応する。
【０１３８】
すなわち、省略文補完部３６０は、利用者の発話内容が省略文である場合などであっても、集合「Ｄ」を用いて省略文を補完することができる。この結果、省略文補完部３６０は、第一形態素情報から構成される文が省略文であっても、その文が適正な日本語となるようにすることができる。
【０１３９】
また、省略文補完部３６０が、前記集合「Ｄ」に基づいて、補完後の第一形態素情報に一致する話題タイトル８２０を検索する。補完後の第一形態素情報に一致する話題タイトル８２０を発見した場合は、省略文補完部３６０はこの話題タイトル８２０を回答取得部３８０に出力する。回答取得部３８０は、省略文補完部３６０で検索された適切な話題タイトル８２０に基づいて、利用者の発話内容に最も適した回答文８３０を出力することができる。
【０１４０】
尚、省略文補完部３６０は、集合「Ｄ」の要素を第一形態素情報に含めるだけに限定されるものではない。この省略文補完部３６０は、着目話題タイトルに基づいて、その話題タイトルを構成する第一特定情報、第二特定情報又は第三特定情報のいずれかに含まれる形態素を、抽出された第一形態素情報に含めても良い。
【０１４１】
［４．１．６．３．３．話題検索部］
話題検索部３７０は、省略文補完部３６０で話題タイトル８１０が決まらなかったとき、第一形態素情報と、利用者入力文話題特定情報に対応する各話題タイトル８１０とを照合し、各話題タイトル８１０の中から、第一形態素情報に最も適する話題タイトル８１０を検索するものである。  
具体的に、省略文補完部３６０から検索命令信号が入力された話題検索部３７０は、入力された検索命令信号に含まれる利用者入力文話題特定情報及び第一形態素情報に基づいて、その利用者入力文話題特定情報に対応付けられた各話題タイトルの中から、その第一形態素情報に最も適した話題タイトル８１０を検索する。話題検索部３７０は、その検索した話題タイトル８１０を検索結果信号として回答取得部３８０に出力する。
【０１４２】
先に掲げた図３３は、ある話題特定情報８１０（＝「佐藤」）に対応付けされた話題タイトル８２０，回答文８３０の具体例を示す。図３３に示すように、例えば、話題検索部３７０は、入力された第一形態素情報「佐藤、好き」に話題特定情報８１０（＝「佐藤」）が含まれるので、その話題特定情報８１０（＝「佐藤」）を特定し、次に、その話題特定情報８１０（＝「佐藤」）に対応付けられた各話題タイトル（８２０）１-１,１-２,…と入力された第一形態素情報「佐藤、好き」とを照合する。  
話題検索部３７０は、その照合結果に基づいて、各話題タイトル（８２０）１-１〜１-２の中から、入力された第一形態素情報「佐藤、好き」と一致する話題タイトル（８２０）１-１(佐藤；＊；好き)を特定する。話題検索部３４０は、検索した話題タイトル（８２０）１-１(佐藤；＊；好き)を検索結果信号として回答取得部３８０に出力する。
【０１４３】
［４．１．６．３．４．回答取得部］
回答取得部３８０は、省略文補完部３６０，或いは話題検索部３７０で検索された話題タイトル８２０に基づいて、その話題タイトル８２０に対応付けられた回答文８３０を取得する。また、回答取得部３８０は、話題検索部３７０で検索された話題タイトル８２０に基づいて、その話題タイトル８２０に対応付けられた各回答種類と、入力種類判定部４４０で判定された発話種類とを照合する。その照合をした回答取得部３８０は、各回答種類の中から、判定された発話種類と一致する回答種類を検索する。
【０１４４】
図３３に示す例においては、回答取得部３５０は、話題検索部３７０で検索された話題タイトルが話題タイトル１-１(佐藤；＊；好き)である場合には、その話題タイトル１-１に対応付けられている回答文１-１（DA,TAなど）の中から、入力種類判定部４４０で判定された「発話文のタイプ」(例えばDA)と一致する回答種類(DA)を特定する。この回答種類(DA)を特定した回答取得部３８０は、特定した回答種類(DA)に基づいて、その回答種類(DA)に対応付けられた回答文１-１（「私も佐藤が好きです。」）を取得する。  
ここで、上記"DA"、"TA"等のうち、"A"は、肯定形式を意味する。従って、発話種類及び回答種類に"A"が含まれているときは、ある事柄について肯定することを示している。また、発話種類及び回答種類には、"DQ"、"TQ"等の種類を含めることもできる。この"DQ"、"TQ"等のうち"Q"は、ある事柄についての質問を意味する。
【０１４５】
回答種類が上記質問形式(Q)からなるときは、この回答種類に対応付けられる回答文は、肯定形式(A)で構成される。この肯定形式(A)で作成された回答文としては、質問事項に対して回答する文等が挙げられる。例えば、発話文が「あなたはスロットマシンを操作したことがありますか?」である場合には、この発話文についての発話種類は、質問形式(Q)となる。この質問形式(Q)に対応付けられる回答文は、例えば「私はスロットマシンを操作したことがあります」(肯定形式(A))が挙げられる。
【０１４６】
一方、発話種類が肯定形式(A)からなるときは、この回答種類に対応付けられる回答文は、質問形式(Q)で構成される。この質問形式(Q)で作成された回答文としては、発話内容に対して聞き返す質問文、又は特定の事柄を聞き出す質問文等が挙げられる。例えば、発話文が「私はスロットマシンで遊ぶのが趣味です」である場合には、この発話文についての発話種類は、肯定形式(A)となる。この肯定形式(A)に対応付けられる回答文は、例えば"パチンコで遊ぶのは趣味ではないのですか?"(特定の事柄を聞き出す質問文(Q))が挙げられる。
【０１４７】
回答取得部３８０は、取得した回答文８３０を回答文信号として管理部３１０に出力する。回答取得部３５０から回答文信号が入力された管理部３１０は、入力された回答文信号を出力部６００に出力する。
【０１４８】
［４．１．６．４．ＣＡ会話処理部］
ＣＡ会話処理部３４０は、ユーザ発話に対して、プラン会話処理部３２０および談話空間会話制御処理部３３０のいずれにおいても回答文が決定しない場合に、ユーザ発話の内容に応じて、ユーザとの会話を継続できるような回答文を出力する機能を有する。
以上で回答処理部２１の構成例の説明を終了する。
【０１４９】
［４．２．会話制御方法］
上記構成を有する回答処理部２１は、以下のように動作することにより会話制御方法を実行する。本実施の形態にかかる回答処理部２１，より詳しくは会話制御部３００の動作について説明する。
【０１５０】
図３８は、会話制御部３００のメイン処理の一例を示すフローチャートである。このメイン処理は、会話制御部３００がユーザ発話を受け付けるごとに実行される処理であり、このメイン処理が行われることによりユーザ発話に対する回答文の出力が行われ、会話装置１０と会話サーバ２０（回答処理部２１）間の会話（対話）が成立する。
【０１５１】
メイン処理にはいると、会話制御部３００、より詳しくはプラン会話処理部３２０はまずプラン会話制御処理（Ｓ１８０１）を実行する。プラン会話制御処理は、プランを実行する処理である。
【０１５２】
図３９、図４０はプラン会話制御処理の一例を示すフローチャートである。以下に図３９、図４０を参照しながら、プラン会話制御処理の例について説明する。
【０１５３】
プラン会話制御処理を開始すると、プラン会話処理部３２０はまず、基本制御状態情報チェックを行う（Ｓ１９０１）。基本制御状態情報は、プラン１４０２の実行の完了の有無が、基本制御状態情報として所定の記憶領域に格納される。  
基本制御状態情報は、プランの基本制御状態を記述する役割を有する。
【０１５４】
図４１は、シナリオと呼ばれるタイプのプランについて生じうる４つの基本制御状態を示す図である。以下、それぞれの状態について説明する。
【０１５５】
（１）結束
この基本制御状態は、ユーザ発話が実行中のプラン１４０２、より詳しくはプラン１４０２に対応する話題タイトル８２０や用例文１７０１に一致する場合である。この場合は、プラン会話処理部３２０は当該プラン１４０２を終了し、次プラン指定情報１５０２にて指定された回答文１５０１に対応するプラン１４０２に移行する。
【０１５６】
（２）破棄
この基本制御状態は、ユーザ発話内容がプラン１４０２の終了を要求していると判断される場合、またはユーザの関心が実行中のプラン以外の事項に移ったと判定される場合に、設定される基本制御状態である。基本制御状態情報が破棄を示している場合は、プラン会話処理部３２０は、破棄の対象となったプラン１４０２以外にユーザ発話に対応するプラン１４０２がないかどうかを検索し、存在する場合にはそのプラン１４０２の実行を開始し、存在しない場合には、プランの実行を終了する。
【０１５７】
（３）維持
この基本制御状態は、ユーザ発話が、実行中のプラン１４０２に対応するに対応する話題タイトル８２０（図３３参照）や用例文１７０１（図３７参照）に該当しない場合であって、かつユーザ発話が基本制御状態「破棄」に該当するものではないと判断される場合に、基本制御状態情報に記述される基本制御状態である。
【０１５８】
この基本制御状態である場合には、プラン会話処理部３２０は、ユーザ発話を受け付けると、まず保留・中止しているプラン１４０２を再開するか否かを検討し、ユーザ発話がプラン１４０２再開に適さない場合、例えばユーザ発話がプラン１４０２に対応する話題タイトル８０２や用例文１７０２に対応しない場合は、他のプラン１４０２の実行を開始したり、或いは後述の談話空間会話制御処理（Ｓ１９０２）などをおこなう。ユーザ発話がプラン１４０２再開に適している場合は、記憶している次プラン指定情報１５０２に基づいて、回答文１５０１の出力を行う。
【０１５９】
基本制御状態が「維持」である場合は、プラン会話処理部３２０は、当該プラン１４０２に対応する回答文１５０１以外の回答を出力できるように、他のプラン１４０２を検索し、あるいは後述の談話空間会話制御処理などをおこなうが、ユーザ発話が再びプラン１４０２に関するものとなった場合は、そのプラン１４０２の実行を再開する。
【０１６０】
（４）継続
この状態は、ユーザ発話が、実行中のプラン１４０２に含まれる回答文１５０１に対応しない場合であって、かつユーザ発話内容が基本制御状態「破棄」に該当するものではないと判断され、かつユーザ発話から解釈されるユーザの意図が明瞭でない場合に、設定される基本制御状態である。
【０１６１】
基本制御状態が「継続」である場合は、プラン会話処理部３２０は、ユーザ発話を受け付けるとまず保留・中止しているプラン１４０２を再開するか否かを検討し、ユーザ発話がプラン１４０２再開に適さない場合は、ユーザからさらなる発話を引き出すための回答文を出力できるように、後述のＣＡ会話制御処理などをおこなう。
【０１６２】
図３９に戻り、プラン会話制御処理の説明を続ける。  
基本制御状態情報を参照したプラン会話処理部３２０は、基本制御状態情報が示す基本制御状態が「結束」であるか否かを判定する（Ｓ１９０２）。基本制御状態が「結束」であると判定した場合（Ｓ１９０２、Ｙｅｓ）は、プラン会話処理部３２０は、基本制御状態情報が示す実行中のプラン１４０２において、回答文１５０１が最終回答文であるかどうかを判定する（Ｓ１９０３）。
【０１６３】
最終回答文１５０１が出力済みであると判定した場合（Ｓ１９０３、Ｙｅｓ）、プラン会話処理部３２０は、すでにそのプラン１４０２においてユーザに回答すべき内容をすべて伝え終えているので、新たな別のプラン１４０２を開始するかいなかを判定するため、プラン空間内にユーザ発話に対応するプラン１４０２が存在するか検索を行う（Ｓ１９０４）。この検索の結果ユーザ発話に対応するプラン１４０２が発見できなかった場合（Ｓ１９０５、Ｎｏ）、ユーザに提供すべきプラン１４０２は存在していないので、プラン会話処理部３２０はそのままプラン会話制御処理終了する。
【０１６４】
一方、この検索の結果、ユーザ発話に対応するプラン１４０２を発見した場合（Ｓ１９０５、Ｙｅｓ）、プラン会話処理部３２０は当該プラン１４０２に移行する（Ｓ１９０６）。これは、ユーザに提供すべきプラン１４０２が存在しているため、当該プラン１４０２の実行（プラン１４０２に含まれる回答文１５０１の出力）を開始するためである。
【０１６５】
次に、プラン会話処理部３２０は当該プラン１４０２の回答文１５０１を出力する（Ｓ１９０８）。出力された回答文１５０１は、ユーザ発話に対する回答となり、プラン会話処理部３２０はユーザに伝えたい情報を提供することとなる。  
回答文出力処理（Ｓ１９０８）後、プラン会話処理部３２０はプラン会話制御処理を終了する。
【０１６６】
一方、先に出力した回答文１５０１が最終の回答文１５０１であるか否かの判定（Ｓ１９０３）において、先に出力した回答文１５０１が最終の回答文１５０１でない場合（Ｓ１９０３，Ｎｏ）は、プラン会話処理部３２０は、先に出力した回答文１５０１に続く回答文１５０１、すなわち次プラン指定情報１５０２により特定されている回答文１５０１に対応するプラン１４０２に移行する（Ｓ１９０７）。
【０１６７】
この後、プラン会話処理部３２０は該当するプラン１４０２に含まれる回答文１５０１を出力し、ユーザ発話に対する回答を行う（Ｓ１９０８）。出力された回答文１５０１は、ユーザ発話に対する回答となり、プラン会話処理部３２０はユーザに伝えたい情報を提供することとなる。回答文出力処理（Ｓ１９０８）後、プラン会話処理部３２０はプラン会話制御処理を終了する。
【０１６８】
さて、Ｓ１９０２の判定処理において、基本制御状態情報が「結束」でない場合（Ｓ１９０２，Ｎｏ）は、プラン会話処理部３２０は基本制御状態情報が示す基本制御状態が「破棄」であるか否かを判定する（Ｓ１９０９）。基本制御状態が「破棄」であると判定した場合（Ｓ１９０９、Ｙｅｓ）は、継続すべきプラン１４０２が存在していないため、プラン会話処理部３２０は、開始すべき新たな別のプラン１４０２が存在するか判定べく、プラン空間１４０１内にユーザ発話に対応するプラン１４０２が存在するか検索を行う（Ｓ１９０４）。この後、先に述べたＳ１９０３（Ｙｅｓ）における処理と同様に、Ｓ１９０５からＳ１９０８までの処理をプラン会話処理部３２０は実行する。
【０１６９】
一方、基本制御状態情報が示す基本制御状態が「破棄」であるか否かの判定（Ｓ１９０９）において、基本制御状態が「破棄」でないと判定した場合（Ｓ１９０９，Ｎｏ）は、プラン会話処理部３２０は、基本制御状態情報が示す基本制御状態が「維持」であるか否かの判定（Ｓ１９１０）をさらに行う。
【０１７０】
基本制御状態情報が示す基本制御状態が「維持」である場合（Ｓ１９１０、Ｙｅｓ）には、プラン会話処理部３２０は、保留・停止しているプラン１４０２についてユーザが再び関心を示したか否かを調べ、関心を示した場合には、一時保留・停止しているプラン１４０２を再開するように動作する。すなわち、プラン会話処理部３２０は、保留・停止中のプラン１４０２を検査（図４０；Ｓ２００１）し、ユーザ発話が保留・停止中の当該プラン１４０２が対応するか否かを判定する（Ｓ２００２）。
【０１７１】
ユーザ発話が当該プラン１４０２に対応すると判定された場合（Ｓ２００２、Ｙｅｓ）は、プラン会話処理部３２０はそのユーザ発話に対応するプラン１４０２に移行し（Ｓ２００３）、その後、そのプラン１４０２に含まれる回答文１５０１を出力するように、回答文出力処理（図３９；Ｓ１９０８）を実行する。このように動作することにより、プラン会話処理部３２０は、保留・中断していたプラン１４０２を、ユーザ発話に応じて、再開することが可能となり、あらかじめ用意していたプラン１４０２に含まれる内容をすべてユーザに伝達することが可能となる。
【０１７２】
一方、先のＳ２００２（図４０参照）において、保留・停止中のプラン１４０２がユーザ発話に対応しないと判定された場合（Ｓ２００２、Ｎｏ）は、プラン会話処理部３２０は、開始すべき新たな別のプラン１４０２が存在するか判定すべく、プラン空間１４０１内にユーザ発話に対応するプラン１４０２が存在するか検索を行う（図３９；Ｓ１９０４）。この後、先に述べたＳ１９０３（Ｙｅｓ）における処理と同様に、Ｓ１９０５からＳ１９０９までの処理をプラン会話処理部３２０は実行する。
【０１７３】
さて、Ｓ１９１０の判定において、基本制御状態情報が示す基本制御状態が「維持」でない場合（Ｓ１９１０、Ｎｏ）は、基本制御状態情報が示す基本制御状態が「継続」であることを意味する。この場合には、プラン会話処理部３２０は、回答文の出力を行うことなく、プラン会話制御処理を終了する。  
以上で、プラン会話制御処理の説明を終了する。
【０１７４】
図３８に戻り、メイン処理の説明を続ける。  
プラン会話制御処理（Ｓ１８０１）を終了すると、会話制御部３００は談話空間会話制御処理を開始する（Ｓ１８０２）。ただし、プラン会話制御処理（Ｓ１８０１）において回答文出力を行った場合は、会話制御部３００は談話空間会話制御処理（Ｓ１８０２）、および後に説明するＣＡ会話制御処理（Ｓ１８０３）のいずれも行わず、基本制御情報更新処理（Ｓ１９０４）を行ってメイン処理を終了する。
【０１７５】
図４２は、本実施の形態に係る談話空間会話制御処理の一例を示すフローチャートである。  
先ず、入力部１００が、利用者からの発話内容を取得するステップを行う（ステップＳ２２０１）。具体的には、入力部１００は、利用者の発話内容を構成する音声を取得する。入力部１００は、取得した音声を音声信号として音声認識部２００に出力する。なお、入力部１００は、利用者からの音声ではなく、利用者から入力された文字列（例えば、テキスト形式で入力された文字データ）を取得してもよい。この場合、入力部１００はマイクではなく、キーボードやタッチパネルなどの文字入力装置となる。
【０１７６】
次いで、音声認識部２００が、入力部１００で取得した発話内容に基づいて、発話内容に対応する文字列を特定するステップを行う（ステップＳ２２０２）。具体的には、入力部１００から音声信号が入力された音声認識部２００は、入力された音声信号に基づいて、その音声信号に対応する単語仮説（候補）を特定する。音声認識部２００は、特定した単語仮説（候補）に対応付けられた文字列を取得し、取得した文字列を文字列信号として会話制御部３００、より詳しくは談話空間会話制御部３３０に出力する。
【０１７７】
そして、文字列特定部４１０が、音声認識部２００で特定された一連の文字列を一文毎に区切るステップを行う（ステップＳ２２０３）。具体的には、管理部３１０から文字列信号（あるいは形態素信号）が入力された文字列特定部４１０は、その入力された一連の文字列の中に、ある一定以上の時間間隔があるときは、その部分で文字列を区切る。文字列特定部４１０は、その区切った各文字列を形態素抽出部４２０及び入力種類判定部４４０に出力する。なお、文字列特定部４１０は、入力された文字列がキーボードから入力された文字列である場合には、句読点又はスペース等のある部分で文字列を区切るのが好ましい。
【０１７８】
その後、形態素抽出部４２０が、文字列特定部４１０で特定された文字列に基づいて、文字列の最小単位を構成する各形態素を第一形態素情報として抽出するステップを行う（ステップＳ２２０４）。具体的に、文字列特定部４１０から文字列が入力された形態素抽出部４２０は、入力された文字列と、形態素データベース４３０に予め格納されている形態素群とを照合する。なお、その形態素群は、本実施の形態では、それぞれの品詞分類に属する各形態素について、その形態素の見出し語・読み・品詞・活用形などを記述した形態素辞書として準備されている。  
この照合をした形態素抽出部４２０は、入力された文字列の中から、予め記憶された形態素群に含まれる各形態素と一致する各形態素（m１、m２、…）を抽出する。形態素抽出部４２０は、抽出した各形態素を第一形態素情報として話題特定情報検索部３５０に出力する。
【０１７９】
次いで、入力種類判定部４４０が、文字列特定部４１０で特定された一文を構成する各形態素に基づいて、「発話文のタイプ」を判定するステップを行う（ステップＳ２２０５）。具体的には、文字列特定部４１０から文字列が入力された入力種類判定部４４０は、入力された文字列に基づいて、その文字列と発話種類データベース４５０に格納されている各辞書とを照合し、その文字列の中から、各辞書に関係する要素を抽出する。この要素を抽出した入力種類判定部４４０は、抽出した要素に基づいて、その要素がどの「発話文のタイプ」に属するのかを判定する。入力種類判定部４４０は、判定した「発話文のタイプ」（発話種類）を回答取得部３８０に出力する。
【０１８０】
そして、話題特定情報検索部３５０が、形態素抽出部４２０で抽出された第一形態素情報と着目話題タイトル８２０focusとを比較するステップを行う（ステップＳ２２０６）。  
第一形態素情報を構成する形態素と着目話題タイトル８２０focusとが一致する場合、話題特定情報検索部３５０は、その話題タイトル８２０を回答取得部３８０に出力する。一方、話題特定情報検索部３５０は、第一形態素情報を構成する形態素と話題タイトル８２０とが一致しなかった場合には、入力された第一形態素情報及び利用者入力文話題特定情報を検索命令信号として省略文補完部３６０に出力する。
【０１８１】
その後、省略文補完部３６０が、話題特定情報検索部３５０から入力された第一形態素情報に基づいて、着目話題特定情報及び回答文話題特定情報を、入力された第一形態素情報に含めるステップを行う（ステップＳ２２０７）。具体的には、第一形態素情報を「Ｗ」、着目話題特定情報及び回答文話題特定情報の集合を「Ｄ」とすると、省略文補完部３６０は、第一形態素情報「Ｗ」に話題特定情報「Ｄ」の要素を含めて、補完された第一形態素情報を生成し、この補完された第一形態素情報と集合「Ｄ」に関連づけされたすべての話題タイトル８２０とを照合し、補完された第一形態素情報と一致する話題タイトル８２０があるか検索する。補完された第一形態素情報と一致する話題タイトル８２０がある場合は、省略文補完部３６０は、その話題タイトル８２０を回答取得部３８０に出力する。一方、補完された第一形態素情報と一致する話題タイトル８２０を発見しなかった場合は、省略文補完部３６０は、第一形態素情報と利用者入力文話題特定情報とを話題検索部３７０に渡す。
【０１８２】
次いで、話題検索部３７０は、第一形態素情報と、利用者入力文話題特定情報とを照合し、各話題タイトル８２０の中から、第一形態素情報に適した話題タイトル８２０を検索するステップを行う（ステップＳ２２０８）。具体的には、省略文補完部３６０から検索命令信号が入力された話題検索部３７０は、入力された検索命令信号に含まれる利用者入力文話題特定情報及び第一形態素情報に基づいて、その利用者入力文話題特定情報に対応付けられた各話題タイトル８２０の中から、その第一形態素情報に適した話題タイトル８２０を検索する。話題検索部３７０は、その検索の結果得られた話題タイトル８２０を検索結果信号として回答取得部３８０に出力する。
【０１８３】
次いで、回答取得部３８０が、話題特定情報検索部３５０、省略文補完部３６０，あるいは話題検索部３７０で検索された話題タイトル８２０に基づいて、文解析部４００により判定された利用者の発話種類と、話題タイトル８２０に対応付けられた各回答種類とを照合し、回答文８３０の選択を行う（ステップＳ２２０９）。
【０１８４】
具体的には、以下のようにして回答文８３０の選択が行われる。すなわち、話題検索部３７０から検索結果信号と、入力種類判定部４４０から「発話文のタイプ」とが入力された回答取得部３８０は、入力された検索結果信号に対応する「話題タイトル」と、入力された「発話文のタイプ」とに基づいて、その「話題タイトル」に対応付けられている回答種類群の中から、「発話文のタイプ」（DAなど）と一致する回答種類を特定する。
【０１８５】
続いて、回答取得部３８０は、管理部３１０を介して、ステップＳ２２０９において取得した回答文８３０を出力部６００に出力する（ステップＳ２２１０）。管理部３１０から回答文を受け取った出力部６００は、入力された回答文８３０を出力する。
【０１８６】
以上で、談話空間会話制御処理の説明を終了し、図３８に戻りメイン処理の説明を再開する。  
会話制御部３００は談話空間会話制御処理を終了すると、ＣＡ会話制御処理を実行する（Ｓ１８０３）。ただし、プラン会話制御処理（Ｓ１８０１）および談話空間会話制御処理（Ｓ１８０１）において回答文出力を行った場合は、会話制御部３００はＣＡ会話制御処理（Ｓ１８０３）を行わず、基本制御情報更新処理（Ｓ１８０４）を行ってメイン処理を終了する。
【０１８７】
ＣＡ会話制御処理（Ｓ１８０３）は、ユーザ発話が、「何かを説明している」のか、「何かを確認している」のか、「非難や攻撃をしている」のか、「これら以外」なのかを判定し、ユーザ発話の内容および判定結果に応じた回答文を出力する処理である。このＣＡ会話制御処理を行うことにより、プラン会話制御処理、および談話空間会話制御処理のいずれにおいても、ユーザ発話に適した回答文が出力できなくとも、ユーザとの会話の流れをとぎれさせることなく継続できるような、いわば「つなぎ」の回答文を出力することが可能となる。
【０１８８】
つぎに、会話制御部３００は基本制御情報更新処理を行う（Ｓ１８０４）。この処理において、会話制御部３００，より詳しくは管理部３１０は、プラン会話処理部３２０が回答文出力を行った場合は基本制御情報を「結束」に設定し、プラン会話処理部３２０が回答文出力を停止した場合は基本制御情報を「破棄」に設定し、談話空間会話制御処理部３３０が回答文出力を行った場合は基本制御情報を「維持」に設定し、ＣＡ会話処理部３４０が回答文出力を行った場合は基本制御情報を「継続」に設定する。
【０１８９】
この基本制御情報更新処理で設定された基本制御情報は、前述のプラン会話制御処理（Ｓ１８０１）において参照され、プランの継続や再開に利用される。  
【０１９０】
以上、メイン処理をユーザ発話を受け付けるごとに実行することにより、回答処理部２１は、ユーザ発話に応じて、予め用意したプランを実行できるとともに、プランに含まれない話題についても適宜応答することができる。
【図面の簡単な説明】
【０１９１】
【図１】自動会話システムの構成例を示すブロック図
【図２Ａ】会話装置の一構成例を示すブロック図
【図２Ｂ】音声認識部一構成例を示すブロック図
【図３】会話サーバの一構成例を示すブロック図
【図４】会話シナリオ編集装置の一構成例を示すブロック図
【図５】談話の圏に相当する会話シナリオの例を示す状態遷移図
【図６】図５の会話シナリオをデータとして表現した例を示す図
【図７】射の合成を含む会話シナリオの例を示した状態遷移図
【図８】図７の会話シナリオをデータとして表現した例を示す図
【図９】NULL機能による強制回答を行う会話シナリオの例を示した状態遷移図
【図１０】図９の会話シナリオをデータとして表現した例を示す図
【図１１】引用機能により、ユーザ発話に対して「固執回答」をする会話シナリオの例を示す状態遷移図
【図１２】図１１の会話シナリオをデータとして表現した例を示す図
【図１３】「合成により構成された単位元」により「閉ループ回答」が構築された会話シナリオの例を示した状態遷移図
【図１４】図１３の会話シナリオをデータとして表現した例を示す図
【図１５】射の合成に結合法則が成り立つ会話シナリオの例の状態遷移図
【図１６】図１５の会話シナリオをデータとして表現した例を示す図
【図１７】会話シナリオ編集装置の編集画面例を示す図
【図１８】会話シナリオ保持部のデータ構成例を示す図
【図１９】会話シナリオ編集装置による会話シナリオデータ生成のための入力画面例を示す図
【図２０】図１９に続く、会話シナリオ編集装置による会話シナリオデータ生成のための入力画面例を示す図
【図２１】図２０に続く、会話シナリオ編集装置による会話シナリオデータ生成のための入力画面例を示す図
【図２２】図２１に続く、会話シナリオ編集装置による会話シナリオデータ生成のための入力画面例を示す図
【図２３】図２２に続く、会話シナリオ編集装置による会話シナリオデータ生成のための入力画面例を示す図
【図２４】会話シナリオ編集装置の変形構成例を示す機能ブロック図
【図２５】回答処理部の機能ブロック図
【図２６】文字列とこの文字列から抽出される形態素との関係を示す図
【図２７】「発話文のタイプ」と、その発話文のタイプを表す二文字のアルファベット、及びその発話文のタイプに該当する発話文の例を示す図
【図２８】文のタイプとそのタイプを判定するための辞書の関係を示す図
【図２９】会話データベースが記憶するデータのデータ構成の一例を示す概念図
【図３０】ある話題特定情報と他の話題特定情報との関連付けを示す図
【図３１】話題タイトル（「第二形態素情報」ともいう）のデータ構成例を示す図
【図３２】回答文のデータ構成例を説明するための図
【図３３】ある話題特定情報に対応付けされた話題タイトル，回答文、次プラン指定情報の具体例を示す図
【図３４】プラン空間を説明するための概念図
【図３５】プランの例を示す図
【図３６】別のプランの例を示す図
【図３７】プラン会話処理の具体例を示す図
【図３８】会話制御部のメイン処理の一例を示すフローチャート
【図３９】プラン会話制御処理の一例を示すフローチャート
【図４０】図３９に続く、プラン会話制御処理の一例を示すフローチャート
【図４１】基本制御状態を示す図
【図４２】談話空間会話制御処理の一例を示すフローチャート
【符号の説明】
【０１９２】
１      …  自動会話装置
１０    …  会話装置
２０    …  会話サーバ
３０    …  会話シナリオ編集装置
４０    …  会話シナリオ
【図１】
2010048980.tif 000003
【図２Ａ】
2010048980.tif 000004
【図２Ｂ】
2010048980.tif 000005
【図３】
2010048980.tif 000006
【図４】
2010048980.tif 000007
【図５】
2010048980.tif 000008
【図６】
2010048980.tif 000009
【図７】
2010048980.tif 000010
【図８】
2010048980.tif 000011
【図９】
2010048980.tif 000012
【図１０】
2010048980.tif 000013
【図１１】
2010048980.tif 000014
【図１２】
2010048980.tif 000015
【図１３】
2010048980.tif 000016
【図１４】
2010048980.tif 000017
【図１５】
2010048980.tif 000018
【図１６】
2010048980.tif 000019
【図１７】
2010048980.tif 000020
【図１８】
2010048980.tif 000021
【図１９】
2010048980.tif 000022
【図２０】
2010048980.tif 000023
【図２１】
2010048980.tif 000024
【図２２】
2010048980.tif 000025
【図２３】
2010048980.tif 000026
【図２４】
2010048980.tif 000027
【図２５】
2010048980.tif 000028
【図２６】
2010048980.tif 000029
【図２７】
2010048980.tif 000030
【図２８】
2010048980.tif 000031
【図２９】
2010048980.tif 000032
【図３０】
2010048980.tif 000033
【図３１】
2010048980.tif 000034
【図３２】
2010048980.tif 000035
【図３３】
2010048980.tif 000036
【図３４】
2010048980.tif 000037
【図３５】
2010048980.tif 000038
【図３６】
2010048980.tif 000039
【図３７】
2010048980.tif 000040
【図３８】
2010048980.tif 000041
【図３９】
2010048980.tif 000042
【図４０】
2010048980.tif 000043
【図４１】
2010048980.tif 000044
【図４２】
2010048980.tif 000045